(57)【要約】【課題】プライマリ・セルおよびセカンダリ・セルが使用する時分割デュープレックス（ＴＤＤ）無線フレームの１つ以上のアップリンク・ダウンリンク（ＵＬ−ＤＬ）構成の組み合わせに対する相互運用性試験（ＩＯＴ）標示を含むメッセージを送信することを制御する技術。【解決手段】１つの実施例において、ＩＯＴ標示は、１つ以上（または各々）のアップリンク・ダウンリンク構成の組み合わせに対して（例えばＵＬ−ＤＬの構成の組み合わせ当たり１つのＩＯＴ標示）提供することができる。別の実施例において、ＩＯＴ標示は、アップリンク・ダウンリンク構成の組み合わせの１つ以上のセットに対して提供されることができ、各セットは、複数のＵＬ−ＤＬ構成の組み合わせを含むことができる。【選択図】図９
2017509216.tif 000002
【特許請求の範囲】
【請求項１】
プライマリ・セルおよびセカンダリ・セルが使用する時分割デュープレックス（ＴＤＤ）無線フレームの複数のアップリンク・ダウンリンク（ＵＬ−ＤＬ）構成の組み合わせに対する１つ以上の相互運用性試験（ＩＯＴ）標示を含むメッセージを送信することを、キャリア・アグリゲーションを用いる移動局（ＭＳ）によって制御することを備え、前記アップリンク・ダウンリンク構成の組み合わせの１つ以上は、前記プライマリ・セルが使用する第１のアップリンク・ダウンリンク構成と前記セカンダリ・セルが使用する第２のアップリンク・ダウンリンク構成を含み、前記メッセージは、
前記ＭＳ用の前記プライマリ・セルおよび前記セカンダリ・セルが使用するアップリンク・ダウンリンク構成の組み合わせの第１のセットがＩＯＴ試験されたか否かを示す第１のＩＯＴ標示を備える方法。
【請求項２】
アップリンク・ダウンリンク構成の組み合わせの前記第１のセットは、取りうるすべてのアップリンク・ダウンリンク構成の組み合わせを備える請求項１に記載の方法。
【請求項３】
アップリンク・ダウンリンク構成の組み合わせの前記第１のセットは、取りうるすべてのアップリンク・ダウンリンク構成の組み合わせのサブセットを備える請求項１に記載の方法。
【請求項４】
前記メッセージは、
前記ＭＳ用の前記プライマリ・セルおよび前記セカンダリ・セルが使用するアップリンク・ダウンリンク構成の組み合わせの第２のセットがＩＯＴ試験されたか否かを示す第２のＩＯＴ標示をさらに備える請求項１に記載の方法。
【請求項５】
前記メッセージは、前記第１のＩＯＴ標示を提供する第１のビットと前記第２のＩＯＴ標示を提供する第２のビットとを含む複数のビットを含むＩＯＴフィールドを含む請求項４に記載の方法。
【請求項６】
前記アップリンク・ダウンリンク構成の各々は、ダウンリンク・サブフレームとして前記無線フレームの１つ以上のサブフレームを特定し、アップリンク・サブフレームとして前記無線フレームの１つ以上のサブフレームとを特定する請求項１に記載の方法。
【請求項７】
前記アップリンク・ダウンリンク構成の各々は、ＴＤＤ無線フレームの構成を特定し、前記アップリンク・ダウンリンク構成の各々は、ＴＤＤ無線フレーム内の各サブフレームが、アップリンク・サブフレーム、ダウンリンク・サブフレーム、またはスペシャルサブフレームのうちのいずれであるのかを特定する請求項１に記載の方法。
【請求項８】
アップリンク・ダウンリンク構成の組み合わせの前記第１のセットは、前記組み合わせのうちのセカンダリ・セルに対する前記アップリンク・ダウンリンク構成のダウンリンク・サブフレームが前記組み合わせのうちの前記プライマリ・セルに対する前記アップリンク・ダウンリンク構成のダウンリンク・サブフレームのサブセットである、アップリンク・ダウンリンク構成の組み合わせを含む請求項１に記載の方法。
【請求項９】
アップリンク・ダウンリンク構成の組み合わせの前記第２のセットは、前記組み合わせのうちのセカンダリ・セルに対する前記アップリンク・ダウンリンク構成のダウンリンク・サブフレームが前記組み合わせのうちの前記プライマリ・セルに対する前記アップリンク・ダウンリンク構成のダウンリンク・サブフレームの上位セットである場合に、アップリンク・ダウンリンク構成の組み合わせを備える請求項４に記載の方法。
【請求項１０】
前記メッセージは、前記ＭＳ用の前記プライマリ・セルおよび前記セカンダリ・セルが使用するアップリンク・ダウンリンク構成の組み合わせの第３のセットがＩＯＴ試験されたか否かを示す第３のＩＯＴ標示をさらに含み、アップリンク・ダウンリンク構成の組み合わせの前記第３のセットは、前記組み合わせのうちのセカンダリ・セルに対する前記アップリンク・ダウンリンク構成のダウンリンク・サブフレームが前記組み合わせのうちの前記プライマリ・セルに対する前記アップリンク・ダウンリンク構成のダウンリンク・サブフレームのサブセットまたは上位セットのいずれでもない、アップリンク・ダウンリンク構成の組み合わせを備える請求項４に記載の方法。
【請求項１１】
前記メッセージは、
前記ＭＳ用の前記プライマリ・セルおよび前記セカンダリ・セルが使用するアップリンク・ダウンリンク構成の組み合わせの第１のセットがＩＯＴ試験されたか否かを示す第１のＩＯＴ標示であって、アップリンク・ダウンリンク構成の組み合わせの前記第１のセットが、前記組み合わせのうちのセカンダリ・セルに対する前記アップリンク・ダウンリンク構成のダウンリンク・サブフレームが前記組み合わせのうちの前記プライマリ・セルに対する前記アップリンク・ダウンリンク構成のダウンリンク・サブフレームのサブセットである、アップリンク・ダウンリンク構成の組み合わせを含む前記第１のＩＯＴ標示と、
前記ＭＳ用の前記プライマリ・セルおよび前記セカンダリ・セルが使用するアップリンク・ダウンリンク構成の組み合わせの第２のセットがＩＯＴ試験されたか否かを示す第２のＩＯＴ標示であって、アップリンク・ダウンリンク構成の組み合わせの前記第２のセットが、前記組み合わせのうちのセカンダリ・セルに対する前記アップリンク・ダウンリンク構成のダウンリンク・サブフレームが前記組み合わせのうちの前記プライマリ・セルに対する前記アップリンク・ダウンリンク構成のダウンリンク・サブフレームの上位セットである、アップリンク・ダウンリンク構成の組み合わせを含む第２のＩＯＴ標示と、
前記ＭＳ用の前記プライマリ・セルおよび前記セカンダリ・セルが使用するアップリンク・ダウンリンク構成の組み合わせの第３のセットがＩＯＴ試験されたか否かを示す第３のＩＯＴ標示であって、アップリンク・ダウンリンク構成の組み合わせの前記第３のセットが、前記組み合わせのうちのセカンダリ・セルに対する前記アップリンク・ダウンリンク構成のダウンリンク・サブフレームが前記組み合わせのうちの前記プライマリ・セルに対する前記アップリンク・ダウンリンク構成のダウンリンク・サブフレームのサブセットまたは上位セットのいずれでもない、アップリンク・ダウンリンク構成の組み合わせを含む第３のＩＯＴ標示と
を含む請求項１に記載の方法。
【請求項１２】
前記メッセージは、キャリア・アグリゲーション帯域の組み合わせ毎に、前記ＭＳ用の前記プライマリ・セルおよび前記セカンダリ・セルが使用するアップリンク・ダウンリンク構成の組み合わせがキャリア・アグリゲーション帯域の組み合わせに対してＩＯＴ試験されたか否かを示すＩＯＴフィールドを含む請求項１に記載の方法。
【請求項１３】
前記メッセージは、
前記ＭＳ用の前記プライマリ・セルおよび前記セカンダリ・セルが使用するアップリンク・ダウンリンク構成の組み合わせの第１のセットがＩＯＴ試験されたか否かを示す第１のＩＯＴ標示であって、アップリンク・ダウンリンク構成の組み合わせの前記第１のセットが、前記組み合わせのうちのセカンダリ・セルに対する前記アップリンク・ダウンリンク構成のダウンリンク・サブフレームが前記組み合わせのうちの前記プライマリ・セルに対する前記アップリンク・ダウンリンク構成のダウンリンク・サブフレームのサブセットである、アップリンク・ダウンリンク構成の組み合わせを含む前記第１のＩＯＴ標示と、
ＭＳ用のプライマリ・セルおよびセカンダリ・セルが使用するアップリンク・ダウンリンク構成の組み合わせの第２のセットがＩＯＴ試験されたか否かを示す第２のＩＯＴ標示であって、アップリンク・ダウンリンク構成の組み合わせの前記第２のセットが、前記組み合わせのうちのセカンダリ・セルに対する前記アップリンク・ダウンリンク構成のダウンリンク・サブフレームが前記組み合わせのうちの前記プライマリ・セルに対する前記アップリンク・ダウンリンク構成のダウンリンク・サブフレームの上位セットである、アップリンク・ダウンリンク構成の組み合わせを含み、前記プライマリ・セルのＵＬ  ＨＡＲＱタイミングは、１０ｍｓである前記第２のＩＯＴ標示と、
前記ＭＳ用の前記プライマリ・セルおよび前記セカンダリ・セルが使用するアップリンク・ダウンリンク構成の組み合わせの第３のセットがＩＯＴ試験されたか否かを示す第３のＩＯＴ標示であって、アップリンク・ダウンリンク構成の組み合わせの前記第３のセットが、前記組み合わせのうちのセカンダリ・セルに対する前記アップリンク・ダウンリンク構成のダウンリンク・サブフレームが前記組み合わせのうちの前記プライマリ・セルに対する前記アップリンク・ダウンリンク構成のダウンリンク・サブフレームのサブセットまたは上位セットのいずれでもない、アップリンク・ダウンリンク構成の組み合わせを含む第３のＩＯＴ標示と、
前記ＭＳ用の前記プライマリ・セルおよび前記セカンダリ・セルが使用するアップリンク・ダウンリンク構成の組み合わせの第２のセットがＩＯＴ試験されたか否かを示す第４のＩＯＴ標示であって、アップリンク・ダウンリンク構成の組み合わせの前記第２のセットが、前記組み合わせのうちのセカンダリ・セルに対する前記アップリンク・ダウンリンク構成のダウンリンク・サブフレームが前記組み合わせのうちの前記プライマリ・セルに対する前記アップリンク・ダウンリンク構成のダウンリンク・サブフレームの上位セットである、アップリンク・ダウンリンク構成の組み合わせを含み、前記プライマリ・セルのＵＬ  ＨＡＲＱタイミングは、１０ｍｓではない前記第４のＩＯＴ標示と
を含む請求項１に記載の方法。
【請求項１４】
前記メッセージは、前記第１のＩＯＴ標示を提供する第１のビットと、前記第２のＩＯＴ標示を提供する第２のビットと、前記第３のＩＯＴ標示を提供する第３のビットとを含む複数のビットを含むＩＯＴフィールドを含む請求項１１に記載の方法。
【請求項１５】
少なくとも１つのプロセッサとコンピュータ命令を含む少なくとも１つのメモリとを備える装置であって、少なくとも１つのプロセッサによって実行された場合に、前記装置に、
プライマリ・セルおよびセカンダリ・セルが使用する時分割デュープレックス（ＴＤＤ）無線フレームの複数のアップリンク・ダウンリンク（ＵＬ−ＤＬ）構成の組み合わせに対する１つ以上の相互運用性試験（ＩＯＴ）標示を含むメッセージを送信することを、キャリア・アグリゲーションを用いる移動局（ＭＳ）によって制御することを実行させ、
前記アップリンク・ダウンリンク構成の組み合わせの１つ以上は、前記プライマリ・セルが使用する第１のアップリンク・ダウンリンク構成と前記セカンダリ・セルが使用する第２のアップリンク・ダウンリンク構成を含み、前記メッセージは、
前記ＭＳ用の前記プライマリ・セルおよび前記セカンダリ・セルが使用するアップリンク・ダウンリンク構成の組み合わせの第１のセットがＩＯＴ試験されたか否かを示す第１のＩＯＴ標示を備える装置。
【請求項１６】
前記メッセージは、
前記ＭＳ用の前記プライマリ・セルおよび前記セカンダリ・セルが使用するアップリンク・ダウンリンク構成の組み合わせの第２のセットがＩＯＴ試験されたか否かを示す第２のＩＯＴ標示
をさらに備える請求項１５に記載の装置。
【請求項１７】
前記メッセージは、前記第１のＩＯＴ標示を提供する第１のビットと前記第２のＩＯＴ標示を提供する第２のビットとを含む複数のビットを含むＩＯＴフィールドを含む請求項１５に記載の装置。
【請求項１８】
前記アップリンク・ダウンリンク構成の各々は、ダウンリンク・サブフレームとして前記無線フレームの１つ以上のサブフレームを特定し、アップリンク・サブフレームとして前記無線フレームの１つ以上のサブフレームを特定する請求項１５に記載の装置。
【請求項１９】
前記アップリンク・ダウンリンク構成の各々は、ＴＤＤ無線フレームの構成を特定し、前記アップリンク・ダウンリンク構成の各々は、ＴＤＤ無線フレーム内の各サブフレームが、アップリンク・サブフレーム、ダウンリンク・サブフレーム、またはスペシャルサブフレームのうちのいずれであるのかを特定する請求項１５に記載の装置。
【請求項２０】
アップリンク・ダウンリンク構成の組み合わせの前記第１のセットは、前記組み合わせのうちのセカンダリ・セルに対する前記アップリンク・ダウンリンク構成のダウンリンク・サブフレームが前記組み合わせのうちの前記プライマリ・セルに対する前記アップリンク・ダウンリンク構成のダウンリンク・サブフレームのサブセットである、アップリンク・ダウンリンク構成の組み合わせを備える請求項１５に記載の装置。
【請求項２１】
アップリンク・ダウンリンク構成の組み合わせの前記第２のセットは、前記組み合わせのうちのセカンダリ・セルに対する前記アップリンク・ダウンリンク構成のダウンリンク・サブフレームが前記組み合わせのうちの前記プライマリ・セルに対する前記アップリンク・ダウンリンク構成のダウンリンク・サブフレームの上位セットである、アップリンク・ダウンリンク構成の組み合わせを備える請求項１６に記載の装置。
【請求項２２】
前記メッセージは、前記ＭＳ用の前記プライマリ・セルおよび前記セカンダリ・セルが使用するアップリンク・ダウンリンク構成の組み合わせの第３のセットがＩＯＴ試験されたか否かを示す第３のＩＯＴ標示をさらに含み、アップリンク・ダウンリンク構成の組み合わせの前記第３のセットが、前記組み合わせのうちのセカンダリ・セルに対する前記アップリンク・ダウンリンク構成のダウンリンク・サブフレームが前記組み合わせのうちの前記プライマリ・セルに対する前記アップリンク・ダウンリンク構成のダウンリンク・サブフレームのサブセットまたは上位セットのいずれでもない、アップリンク・ダウンリンク構成の組み合わせを備える請求項１６に記載の装置。
【請求項２３】
固定コンピュータ読み取り可能記録媒体を備えるとともに、少なくとも１つのデータ処理装置によって実行された場合に前記少なくとも１つのデータ処理装置に以下の方法を実行させるように構成された実行可能コードを格納するコンピュータプログラム製品であって、前記方法は、
プライマリ・セルおよびセカンダリ・セルが使用する時分割デュープレックス（ＴＤＤ）無線フレームの複数のアップリンク・ダウンリンク（ＵＬ−ＤＬ）構成の組み合わせに対する相互運用性試験（ＩＯＴ）標示を含むメッセージを送信することを、キャリア・アグリゲーションを用いる移動局（ＭＳ）によって制御することを備え、前記アップリンク・ダウンリンク構成の組み合わせの１つ以上は、前記プライマリ・セルが使用する第１のアップリンク・ダウンリンク構成と前記セカンダリ・セルが使用する第２のアップリンク・ダウンリンク構成を含み、前記メッセージは、
前記ＭＳ用の前記プライマリ・セルおよび前記セカンダリ・セルが使用するアップリンク・ダウンリンク構成の組み合わせの第１のセットがＩＯＴ試験されたか否かを示す第１のＩＯＴ標示
を備えるコンピュータプログラム製品。
【請求項２４】
プライマリ・セルおよびセカンダリ・セルが使用する時分割デュープレックス（ＴＤＤ）無線フレームの１つ以上のアップリンク・ダウンリンク（ＵＬ−ＤＬ）構成の組み合わせに対する相互運用性試験（ＩＯＴ）標示を含むメッセージを送信することを、キャリア・アグリゲーションを用いる移動局（ＭＳ）によって制御することを備える方法であって、前記アップリンク・ダウンリンク構成の組み合わせの１つ以上は、前記プライマリ・セルが使用する第１のアップリンク・ダウンリンク構成と前記セカンダリ・セルが使用する第２のアップリンク・ダウンリンク構成を各々含み、前記メッセージは、
前記ＭＳ用の前記プライマリ・セルおよび前記セカンダリ・セルが使用するアップリンク・ダウンリンク構成の組み合わせの第１のセットがＩＯＴ試験されたか否かを示す第１のＩＯＴ標示
を備える方法。
【請求項２５】
前記メッセージは、前記ＭＳ用の前記プライマリ・セルおよび前記セカンダリ・セルが使用する第２のアップリンク・ダウンリンク構成の組み合わせがＩＯＴ試験されたか否かを示す第２のＩＯＴ標示をさらに備える請求項２４に記載の方法。
【請求項２６】
少なくとも１つのプロセッサとコンピュータ命令を含む少なくとも１つのメモリとを備える装置であって、少なくとも１つのプロセッサによって実行された場合に、前記装置に、
プライマリ・セルおよびセカンダリ・セルが使用する時分割デュープレックス（ＴＤＤ）無線フレームの１つ以上のアップリンク・ダウンリンク（ＵＬ−ＤＬ）構成の組み合わせに対する相互運用性試験（ＩＯＴ）標示を含むメッセージを送信することを、キャリア・アグリゲーションを用いる移動局（ＭＳ）によって制御することを実行させ、前記アップリンク・ダウンリンク構成の組み合わせの１つ以上は、前記プライマリ・セルが使用する第１のアップリンク・ダウンリンク構成と前記セカンダリ・セルが使用する第２のアップリンク・ダウンリンク構成を各々含み、前記メッセージは、
前記ＭＳ用の前記プライマリ・セルおよび前記セカンダリ・セルが使用するアップリンク・ダウンリンク構成の組み合わせの第１のセットがＩＯＴ試験されたか否かを示す第１のＩＯＴ標示
を備える装置。
【請求項２７】
固定コンピュータ読み取り可能記録媒体を備えるとともに、少なくとも１つのデータ処理装置によって実行された場合に前記少なくとも１つのデータ処理装置に以下の方法を実行させるように構成された実行可能コードを格納するコンピュータプログラム製品であって、前記方法は、
プライマリ・セルおよびセカンダリ・セルが使用する時分割デュープレックス（ＴＤＤ）無線フレームの１つ以上のアップリンク・ダウンリンク（ＵＬ−ＤＬ）構成の組み合わせに対する相互運用性試験（ＩＯＴ）標示を含むメッセージを送信することを、キャリア・アグリゲーションを用いる移動局（ＭＳ）によって制御することを備え、前記アップリンク・ダウンリンク構成の組み合わせの１つ以上は、前記プライマリ・セルが使用する第１のアップリンク・ダウンリンク構成と前記セカンダリ・セルが使用する第２のアップリンク・ダウンリンク構成を各々含み、前記メッセージは、
前記ＭＳ用の前記プライマリ・セルおよび前記セカンダリ・セルが使用するアップリンク・ダウンリンク構成の組み合わせの第１のセットがＩＯＴ試験されたか否かを示す第１のＩＯＴ標示
を備えるコンピュータプログラム製品。
【発明の詳細な説明】
【技術分野】
【０００１】
この記述は、無線ネットワークに関し、特に、キャリア・アグリゲーションを用いる無線ネットワーク用のアップリンク・ダウンリンク構成の組み合わせのための相互運用性試験（ＩＯＴ：inter-operability test）標示に関する。
【背景技術】
【０００２】
通信システムは、固定通信装置またはモバイル通信装置などの２つ以上のノードまたは装置間の通信を可能にする設備であり得る。ここで、信号は、有線キャリアまたは無線キャリア上で伝送することができる。
【０００３】
セルラー方式の一例は、第３世代パートナーシッププロジェクト（３ＧＰＰ：3rd Generation Partnership Project）によって標準化されているアーキテクチャである。この分野における最近の発展は、しばしば、ユニバーサルモバイルテレコミュニケーションシステム（ＵＭＴＳ：Universal Mobile Telecommunications System）無線アクセス技術のＬＴＥ（Long-Term Evolution）と呼ばれる。Ｅ−ＵＴＲＡ（evolved UMTS Terrestrial Radio Access）は、３ＧＰＰのモバイルネットワーク用ＬＴＥアップグレードパスのエアインターフェースである。ＬＴＥにおいて、ｅＮＢｓ（enhanced Node Bs）と呼ばれる基地局は、カバレージエリアまたはセル内に無線アクセスを提供する。ＬＴＥにおいて、モバイル装置または移動局は、ユーザ装置（ＵＥ：User Equipment）と呼ばれる。ＬＴＥは、いくつかの改良または進展を含んでいる。
【０００４】
例えばＭＳまたはＢＳのハードウェアおよびソフトウェアなどの無線システムの多くの製造業者があるかもしれない。ＬＴＥおよび他の無線規格は、様々な要件を含む。相互運用性試験は、例えば、このようなシステムが規格の要件に準拠し、かつ該要件にしたがって動作する、ということを確認するために、ＭＳおよびＢＳ用の試験装置および試験システムに対して実行され得る。したがって、相互運用性試験がシステムまたは装置（例えば、ＭＳまたはＢＳの一部としての無線システム）に対して実行された後、このような装置またはシステムが規格によって動作・機能し、そのために、他の製造業者からの装置およびシステムと相互に運用可能になることが、ある程度、保証される。
【発明の概要】
【０００５】
一実施例によると、方法は、プライマリ・セルおよびセカンダリ・セルが使用する時分割デュープレックス（ＴＤＤ）無線フレームの複数のアップリンク・ダウンリンク（ＵＬ−ＤＬ）構成の組み合わせに対する１つ以上の相互運用性試験（ＩＯＴ）標示を含むメッセージを送信することを、キャリア・アグリゲーションを用いる移動局（ＭＳ）によって制御することを備えることができ、アップリンク・ダウンリンク構成の組み合わせの１つ以上は、プライマリ・セルが使用する第１のアップリンク・ダウンリンク構成とセカンダリ・セルが使用する第２のアップリンク・ダウンリンク構成を含む。メッセージは、ＭＳ用のプライマリ・セルおよびセカンダリ・セルが使用するアップリンク・ダウンリンク構成の組み合わせの第１のセットがＩＯＴ試験されたか否かを示す第１のＩＯＴ標示を備える。
【０００６】
本願方法の一実施例によると、アップリンク・ダウンリンク構成の組み合わせの第１のセットは、取りうるすべてのアップリンク・ダウンリンク構成の組み合わせを備えることができ、取りうるすべてのアップリンク・ダウンリンク構成の組み合わせのサブセットを備えることができる。
【０００７】
一実施例によると、メッセージは、ＭＳ用のプライマリ・セルおよびセカンダリ・セルが使用するアップリンク・ダウンリンク構成の組み合わせの第２のセットがＩＯＴ試験されたか否かを示す第２のＩＯＴ標示をさらに備えることができる。
【０００８】
一実施例によると、メッセージは、第１のＩＯＴ標示を提供する第１のビットと第２のＩＯＴ標示を提供する第２のビットとを含む複数のビットを含むＩＯＴフィールドを含むことができる。
【０００９】
一実施例によると、アップリンク・ダウンリンク構成の各々は、ダウンリンク・サブフレームとして無線フレームの１つ以上のサブフレームを特定し、アップリンク・サブフレームとして無線フレームの１つ以上のサブフレームとを特定する。
【００１０】
一実施例によると、アップリンク・ダウンリンク構成の各々は、ＴＤＤ無線フレームの構成を特定し、アップリンク・ダウンリンク構成の各々は、ＴＤＤ無線フレーム内の各サブフレームが、アップリンク・サブフレーム、ダウンリンク・サブフレーム、またはスペシャルサブフレームのうちのいずれであるのかを特定する。
【００１１】
一実施例によると、アップリンク・ダウンリンク構成の組み合わせの第１のセットは、その組み合わせのうちのセカンダリ・セルに対するアップリンク・ダウンリンク構成のダウンリンク・サブフレームが、その組み合わせのうちのプライマリ・セルに対するアップリンク・ダウンリンク構成のダウンリンク・サブフレームのサブセットである、アップリンク・ダウンリンク構成の組み合わせを含む。
【００１２】
一実施例によると、アップリンク・ダウンリンク構成の組み合わせの第２のセットは、その組み合わせのうちのセカンダリ・セルに対するアップリンク・ダウンリンク構成のダウンリンク・サブフレームが、その組み合わせのうちのプライマリ・セルに対するアップリンク・ダウンリンク構成のダウンリンク・サブフレームの上位セットである場合に、アップリンク・ダウンリンク構成の組み合わせを備える。
【００１３】
メッセージは、ＭＳ用のプライマリ・セルおよびセカンダリ・セルが使用するアップリンク・ダウンリンク構成の組み合わせの第３のセットがＩＯＴ試験されたか否かを示す第３のＩＯＴ標示をさらに含み、アップリンク・ダウンリンク構成の組み合わせの第３のセットは、その組み合わせのうちのセカンダリ・セルに対するアップリンク・ダウンリンク構成のダウンリンク・サブフレームがその組み合わせのうちのプライマリ・セルに対するアップリンク・ダウンリンク構成のダウンリンク・サブフレームのサブセットまたは上位セットのいずれでもない、アップリンク・ダウンリンク構成の組み合わせを備える。
【００１４】
一実施例によると、メッセージは、ＭＳ用のプライマリ・セルおよびセカンダリ・セルが使用するアップリンク・ダウンリンク構成の組み合わせの第１のセットがＩＯＴ試験されたか否かを示す第１のＩＯＴ標示であって、アップリンク・ダウンリンク構成の組み合わせの第１のセットが、その組み合わせのうちのセカンダリ・セルに対するアップリンク・ダウンリンク構成のダウンリンク・サブフレームがその組み合わせのうちのプライマリ・セルに対するアップリンク・ダウンリンク構成のダウンリンク・サブフレームのサブセットである、アップリンク・ダウンリンク構成の組み合わせを含む第１のＩＯＴ標示と、ＭＳ用のプライマリ・セルおよびセカンダリ・セルが使用するアップリンク・ダウンリンク構成の組み合わせの第２のセットがＩＯＴ試験されたか否かを示す第２のＩＯＴ標示であって、アップリンク・ダウンリンク構成の組み合わせの第２のセットが、その組み合わせのうちのセカンダリ・セルに対するアップリンク・ダウンリンク構成のダウンリンク・サブフレームがその組み合わせのうちのプライマリ・セルに対するアップリンク・ダウンリンク構成のダウンリンク・サブフレームの上位セットである、アップリンク・ダウンリンク構成の組み合わせを含む第２のＩＯＴ標示と、ＭＳ用のプライマリ・セルおよびセカンダリ・セルが使用するアップリンク・ダウンリンク構成の組み合わせの第３のセットがＩＯＴ試験されたか否かを示す第３のＩＯＴ標示であって、アップリンク・ダウンリンク構成の組み合わせの第３のセットが、その組み合わせのうちのセカンダリ・セルに対するアップリンク・ダウンリンク構成のダウンリンク・サブフレームがその組み合わせのうちのプライマリ・セルに対するアップリンク・ダウンリンク構成のダウンリンク・サブフレームのサブセットまたは上位セットのいずれでもない、アップリンク・ダウンリンク構成の組み合わせを含む第３のＩＯＴ標示とを含む。
【００１５】
一実施例によると、メッセージは、ＭＳ用のプライマリ・セルおよびセカンダリ・セルが使用するアップリンク・ダウンリンク構成の組み合わせの第１のセットがＩＯＴ試験されたか否かを示す第１のＩＯＴ標示であって、アップリンク・ダウンリンク構成の組み合わせの第１のセットが、その組み合わせのうちのセカンダリ・セルに対するアップリンク・ダウンリンク構成のダウンリンク・サブフレームがその組み合わせのうちのプライマリ・セルに対するアップリンク・ダウンリンク構成のダウンリンク・サブフレームのサブセットである、アップリンク・ダウンリンク構成の組み合わせを含む第１のＩＯＴ標示と、ＭＳ用のプライマリ・セルおよびセカンダリ・セルが使用するアップリンク・ダウンリンク構成の組み合わせの第２のセットがＩＯＴ試験されたか否かを示す第２のＩＯＴ標示であって、アップリンク・ダウンリンク構成の組み合わせの第２のセットが、その組み合わせのうちのセカンダリ・セルに対するアップリンク・ダウンリンク構成のダウンリンク・サブフレームがその組み合わせのうちのプライマリ・セルに対するアップリンク・ダウンリンク構成のダウンリンク・サブフレームの上位セットである、アップリンク・ダウンリンク構成の組み合わせを含み、プライマリ・セルのＵＬ  ＨＡＲＱタイミングは、１０ｍｓである第２のＩＯＴ標示と、ＭＳ用のプライマリ・セルおよびセカンダリ・セルが使用するアップリンク・ダウンリンク構成の組み合わせの第３のセットがＩＯＴ試験されたか否かを示す第３のＩＯＴ標示であって、アップリンク・ダウンリンク構成の組み合わせの第３のセットが、その組み合わせのうちのセカンダリ・セルに対するアップリンク・ダウンリンク構成のダウンリンク・サブフレームがその組み合わせのうちのプライマリ・セルに対するアップリンク・ダウンリンク構成のダウンリンク・サブフレームのサブセットまたは上位セットのいずれでもない、アップリンク・ダウンリンク構成の組み合わせを含む第３のＩＯＴ標示と、ＭＳ用のプライマリ・セルおよびセカンダリ・セルが使用するアップリンク・ダウンリンク構成の組み合わせの第２のセットがＩＯＴ試験されたか否かを示す第４のＩＯＴ標示であって、アップリンク・ダウンリンク構成の組み合わせの第２のセットが、その組み合わせのうちのセカンダリ・セルに対するアップリンク・ダウンリンク構成のダウンリンク・サブフレームがその組み合わせのうちのプライマリ・セルに対するアップリンク・ダウンリンク構成のダウンリンク・サブフレームの上位セットである、アップリンク・ダウンリンク構成の組み合わせを含み、プライマリ・セルのＵＬ  ＨＡＲＱタイミングは、１０ｍｓではない第４のＩＯＴ標示とを含むことができる。
【００１６】
一実施例によると、メッセージは、第１のＩＯＴ標示を提供する第１のビットと、第２のＩＯＴ標示を提供する第２のビットと、第３のＩＯＴ標示を提供する第３のビットとを含む複数のビットを含むＩＯＴフィールドを含む。
【００１７】
一実施例によると、少なくとも１つのプロセッサとコンピュータ命令を含む少なくとも１つのメモリとを備える装置であって、少なくとも１つのプロセッサによって実行された場合に、装置に、プライマリ・セルおよびセカンダリ・セルが使用する時分割デュープレックス（ＴＤＤ）無線フレームの複数のアップリンク・ダウンリンク（ＵＬ−ＤＬ）構成の組み合わせに対する１つ以上の相互運用性試験（ＩＯＴ）標示を含むメッセージを送信することを、キャリア・アグリゲーションを用いる移動局（ＭＳ）によって制御することを実行させ、アップリンク・ダウンリンク構成の組み合わせの１つ以上は、プライマリ・セルが使用する第１のアップリンク・ダウンリンク構成とセカンダリ・セルが使用する第２のアップリンク・ダウンリンク構成を含む装置が提供される。メッセージは、ＭＳ用のプライマリ・セルおよびセカンダリ・セルが使用するアップリンク・ダウンリンク構成の組み合わせの第１のセットがＩＯＴ試験されたか否かを示す第１のＩＯＴ標示を含む。
【００１８】
一実施例によると、メッセージは、ＭＳ用のプライマリ・セルおよびセカンダリ・セルが使用するアップリンク・ダウンリンク構成の組み合わせの第２のセットがＩＯＴ試験されたか否かを示す第２のＩＯＴ標示をさらに含む。
【００１９】
一実施例によると、メッセージは、第１のＩＯＴ標示を提供する第１のビットと第２のＩＯＴ標示を提供する第２のビットとを含む複数のビットを含むＩＯＴフィールドを含む。
【００２０】
一実施例によると、本願装置において、アップリンク・ダウンリンク構成の各々は、ダウンリンク・サブフレームとして無線フレームの１つ以上のサブフレームを特定し、アップリンク・サブフレームとして無線フレームの１つ以上のサブフレームを特定する。
【００２１】
本願装置の一実施例によると、アップリンク・ダウンリンク構成の各々は、ＴＤＤ無線フレームの構成を特定し、アップリンク・ダウンリンク構成の各々は、ＴＤＤ無線フレーム内の各サブフレームが、アップリンク・サブフレーム、ダウンリンク・サブフレーム、またはスペシャルサブフレームのうちのいずれであるのかを特定する。
【００２２】
本願装置の一実施例によると、アップリンク・ダウンリンク構成の組み合わせの第１のセットは、その組み合わせのうちのセカンダリ・セルに対するアップリンク・ダウンリンク構成のダウンリンク・サブフレームがその組み合わせのうちのプライマリ・セルに対するアップリンク・ダウンリンク構成のダウンリンク・サブフレームのサブセットである、アップリンク・ダウンリンク構成の組み合わせを含む。
【００２３】
本願装置の一実施例によると、アップリンク・ダウンリンク構成の組み合わせの第２のセットは、その組み合わせのうちのセカンダリ・セルに対するアップリンク・ダウンリンク構成のダウンリンク・サブフレームがその組み合わせのうちのプライマリ・セルに対するアップリンク・ダウンリンク構成のダウンリンク・サブフレームの上位セットである、アップリンク・ダウンリンク構成の組み合わせを含む。
【００２４】
一実施例によると、メッセージは、ＭＳ用のプライマリ・セルおよびセカンダリ・セルが使用するアップリンク・ダウンリンク構成の組み合わせの第３のセットがＩＯＴ試験されたか否かを示す第３のＩＯＴ標示をさらに含み、アップリンク・ダウンリンク構成の組み合わせの第３のセットが、その組み合わせのうちのセカンダリ・セルに対するアップリンク・ダウンリンク構成のダウンリンク・サブフレームがその組み合わせのうちのプライマリ・セルに対するアップリンク・ダウンリンク構成のダウンリンク・サブフレームのサブセットまたは上位セットのいずれでもない、アップリンク・ダウンリンク構成の組み合わせを含む。
【００２５】
一実施例によると、固定コンピュータ読み取り可能記録媒体を備えるとともに、少なくとも１つのデータ処理装置によって実行された場合に少なくとも１つのデータ処理装置に以下の方法を実行させるように構成された実行可能コードを格納するコンピュータプログラム製品であって、方法は、プライマリ・セルおよびセカンダリ・セルが使用する時分割デュープレックス（ＴＤＤ）無線フレームの複数のアップリンク・ダウンリンク（ＵＬ−ＤＬ）構成の組み合わせに対する相互運用性試験（ＩＯＴ）標示を含むメッセージを送信することを、キャリア・アグリゲーションを用いる移動局（ＭＳ）によって制御することを備え、アップリンク・ダウンリンク構成の組み合わせの１つ以上は、プライマリ・セルが使用する第１のアップリンク・ダウンリンク構成とセカンダリ・セルが使用する第２のアップリンク・ダウンリンク構成を含むコンピュータプログラム製品が提供される。メッセージは、ＭＳ用のプライマリ・セルおよびセカンダリ・セルが使用するアップリンク・ダウンリンク構成の組み合わせの第１のセットがＩＯＴ試験されたか否かを示す第１のＩＯＴ標示を含む。
【００２６】
他の実施例によると、プライマリ・セルおよびセカンダリ・セルが使用する時分割デュープレックス（ＴＤＤ）無線フレームの複数のアップリンク・ダウンリンク（ＵＬ−ＤＬ）構成の組み合わせに対する相互運用性試験（ＩＯＴ）標示を含むメッセージを送信することを、キャリア・アグリゲーションを用いる移動局（ＭＳ）によって制御する手段を備え、アップリンク・ダウンリンク構成の組み合わせの１つ以上は、プライマリ・セルが使用する第１のアップリンク・ダウンリンク構成とセカンダリ・セルが使用する第２のアップリンク・ダウンリンク構成を含む装置が提供される。メッセージは、ＭＳ用のプライマリ・セルおよびセカンダリ・セルが使用するアップリンク・ダウンリンク構成の組み合わせの第１のセットがＩＯＴ試験されたか否かを示す第１のＩＯＴ標示を含む。
【００２７】
一実施例によると、方法は、プライマリ・セルおよびセカンダリ・セルが使用する時分割デュープレックス（ＴＤＤ）無線フレームの１つ以上のアップリンク・ダウンリンク（ＵＬ−ＤＬ）構成の組み合わせに対する相互運用性試験（ＩＯＴ）標示を含むメッセージを送信することを、キャリア・アグリゲーションを用いる移動局（ＭＳ）によって制御することを備え、アップリンク・ダウンリンク構成の組み合わせの１つ以上は、プライマリ・セルが使用する第１のアップリンク・ダウンリンク構成とセカンダリ・セルが使用する第２のアップリンク・ダウンリンク構成を各々含む。メッセージは、ＭＳ用のプライマリ・セルおよびセカンダリ・セルが使用するアップリンク・ダウンリンク構成の組み合わせの第１のセットがＩＯＴ試験されたか否かを示す第１のＩＯＴ標示を含む。
【００２８】
他の実施例によると、メッセージは、ＭＳ用のプライマリ・セルおよびセカンダリ・セルが使用する第２のアップリンク・ダウンリンク構成の組み合わせがＩＯＴ試験されたか否かを示す第２のＩＯＴ標示をさらに含むことができる。
【００２９】
他の実施例によると、少なくとも１つのプロセッサとコンピュータ命令を含む少なくとも１つのメモリとを備える装置であって、少なくとも１つのプロセッサによって実行された場合に、装置に、プライマリ・セルおよびセカンダリ・セルが使用する時分割デュープレックス（ＴＤＤ）無線フレームの１つ以上のアップリンク・ダウンリンク（ＵＬ−ＤＬ）構成の組み合わせに対する相互運用性試験（ＩＯＴ）標示を含むメッセージを送信することを、キャリア・アグリゲーションを用いる移動局（ＭＳ）によって制御することを実行させ、アップリンク・ダウンリンク構成の組み合わせの１つ以上は、プライマリ・セルが使用する第１のアップリンク・ダウンリンク構成とセカンダリ・セルが使用する第２のアップリンク・ダウンリンク構成を各々含む装置が提供される。メッセージは、ＭＳ用のプライマリ・セルおよびセカンダリ・セルが使用するアップリンク・ダウンリンク構成の組み合わせの第１のセットがＩＯＴ試験されたか否かを示す第１のＩＯＴ標示を含むことができる。
【００３０】
他の実施例によると、固定コンピュータ読み取り可能記録媒体を備えるとともに、少なくとも１つのデータ処理装置によって実行された場合に少なくとも１つのデータ処理装置に以下の方法を実行させるように構成された実行可能コードを格納するコンピュータプログラム製品であって、方法は、プライマリ・セルおよびセカンダリ・セルが使用する時分割デュープレックス（ＴＤＤ）無線フレームの１つ以上のアップリンク・ダウンリンク（ＵＬ−ＤＬ）構成の組み合わせに対する相互運用性試験（ＩＯＴ）標示を含むメッセージを送信することを、キャリア・アグリゲーションを用いる移動局（ＭＳ）によって制御することを備え、アップリンク・ダウンリンク構成の組み合わせの１つ以上は、プライマリ・セルが使用する第１のアップリンク・ダウンリンク構成とセカンダリ・セルが使用する第２のアップリンク・ダウンリンク構成を各々含むコンピュータプログラム製品が提供される。メッセージは、ＭＳ用のプライマリ・セルおよびセカンダリ・セルが使用するアップリンク・ダウンリンク構成の組み合わせの第１のセットがＩＯＴ試験されたか否かを示す第１のＩＯＴ標示を含むことができる。
【００３１】
他の実施例によると、装置は、プライマリ・セルおよびセカンダリ・セルが使用する時分割デュープレックス（ＴＤＤ）無線フレームの１つ以上のアップリンク・ダウンリンク（ＵＬ−ＤＬ）構成の組み合わせに対する相互運用性試験（ＩＯＴ）標示を含むメッセージを送信することを、キャリア・アグリゲーションを用いる移動局（ＭＳ）によって制御する手段を備えても良く、アップリンク・ダウンリンク構成の組み合わせの１つ以上は、プライマリ・セルが使用する第１のアップリンク・ダウンリンク構成とセカンダリ・セルが使用する第２のアップリンク・ダウンリンク構成を各々含む。メッセージは、ＭＳ用のプライマリ・セルおよびセカンダリ・セルが使用するアップリンク・ダウンリンク構成の組み合わせの第１のセットがＩＯＴ試験されたか否かを示す第１のＩＯＴ標示を含むことができる。
【００３２】
１つ以上の実施態様の詳細は、添付の図面および以下の明細書に明記される。他の機能は、明細書および図面、ならびに特許請求の範囲から明らかになる。
【図面の簡単な説明】
【００３３】
【図１】実施例によるデュアル接続性無線ネットワーク（dual connectivity wireless network ）１３０のブロック図である。
【図２】実施例による時分割デュープレックス（ＴＤＤ）無線フレームを示す図である。
【図３】実施例による相互運用性試験（ＩＯＴ）フィールドを示す図である。
【図４】実施例による３セットの構成の組み合わせの各々のアップリンク・ダウンリンク（ＵＬ−ＤＬ）構成の組み合わせを識別する図である。
【図５】実施例による同じキャリアのスケジューリングのためのＤＬ  ＨＡＲＱタイミングに対して、セカンダリ・セル（ＳＣｅｌｌ）によって用いられる基準ＵＬ−ＤＬ構成を識別する図である。
【図６】実施例によるクロス・キャリアのスケジューリングのためのＤＬ  ＨＡＲＱタイミングに対して、セカンダリ・セル（ＳＣｅｌｌ）によって用いられる基準ＵＬ−ＤＬ構成を識別する図である。
【図７】実施例による同じキャリアのスケジューリングのためのＵＬ  ＨＡＲＱタイミングに対して、スケジューリングされたセルによって用いられる基準ＵＬ−ＤＬ構成を識別する図である。
【図８】クロス・キャリアのスケジューリングのためのＵＬ  ＨＡＲＱタイミングに対して、スケジューリングされたセルによって用いられる基準ＵＬ−ＤＬ構成を識別する図である。
【図９】実施例による移動局の動作を示すフローチャートである。
【図１０】別の実施例による移動局の動作を示すフローチャートである。
【図１１】実施例による無線局（例えば、ＢＳまたはＭＳ）１１００のブロック図である。
【発明を実施するための形態】
【００３４】
キャリア・アグリゲーションのための１つ以上のアップリンク・ダウンリンク構成の組み合わせのための相互運用性試験（ＩＯＴ）標示、または代替え的にＵＬ−ＤＬ構成の組み合わせのセットのためのＩＯＴ標示を提供する様々な実施例が開示される。
【００３５】
プライマリ・セルおよびセカンダリ・セルが使用する時分割デュープレックス（ＴＤＤ）無線フレームの１つ以上のアップリンク・ダウンリンク（ＵＬ−ＤＬ）構成の組み合わせに対する相互運用性試験（ＩＯＴ）標示を含むメッセージを伝送する、または該メッセージを伝送することを、キャリア・アグリゲーションを用いる移動局（ＭＳ）によって制御する技術が提供される。１つの実施例において、ＩＯＴ標示は、１つ以上（または各々）のアップリンク・ダウンリンク構成の組み合わせに対して（例えばＵＬ−ＤＬ構成の組み合わせ当たり１つのＩＯＴ標示）提供することができる。別の実施例において、ＩＯＴ標示は、アップリンク・ダウンリンク構成の組み合わせの１つ以上セットに対して提供されることができ、各セットは、複数のＵＬ−ＤＬ構成の組み合わせを含むことができる。
【００３６】
実施例によれば、その技術は、プライマリ・セルおよびセカンダリ・セルが使用する時分割デュープレックス（ＴＤＤ）無線フレームの１つ以上のアップリンク・ダウンリンク（ＵＬ−ＤＬ）構成の組み合わせに対する相互運用性試験（ＩＯＴ）標示を含むメッセージを伝送すること、または該メッセージを伝送することを、キャリア・アグリゲーションを用いる移動局（ＭＳ）によって制御することを含み、アップリンク・ダウンリンク構成の組み合わせの１つ以上は、プライマリ・セルが使用する第１のアップリンク・ダウンリンク構成とセカンダリ・セルが使用する第２のアップリンク・ダウンリンク構成を各々含み、メッセージは、ＭＳ用のプライマリ・セルおよびセカンダリ・セルが使用する第１のアップリンク・ダウンリンク構成の組み合わせがＩＯＴ試験されたか否かを示す第１のＩＯＴ標示を含む。
【００３７】
別の実施例によれば、その技術は、プライマリ・セルおよびセカンダリ・セルが使用する時分割デュープレックス（ＴＤＤ）無線フレームの複数のアップリンク・ダウンリンク（ＵＬ−ＤＬ）構成の組み合わせに対する１つ以上の相互運用性試験（ＩＯＴ）標示を含むメッセージを伝送すること、または該メッセージを伝送することを、キャリア・アグリゲーションを用いる移動局（ＭＳ）によって制御することを含み、アップリンク・ダウンリンク構成の組み合わせの１つ以上は、プライマリ・セルが使用する第１のアップリンク・ダウンリンク構成とセカンダリ・セルが使用する第２のアップリンク・ダウンリンク構成を含み、メッセージは、ＭＳ用のプライマリ・セルおよびセカンダリ・セルが使用するアップリンク・ダウンリンク構成の組み合わせの第１のセットがＩＯＴ試験されたか否かを示す第１のＩＯＴ標示を含む。
【００３８】
別の実施例によれば、メッセージは、ＵＬ−ＤＬ構成の組み合わせの複数のセットに対するＩＯＴ標示を提供することができる。メッセージは、例えば、ＭＳ用のプライマリ・セルおよびセカンダリ・セルが使用するアップリンク・ダウンリンク構成の組み合わせの第１のセットがＩＯＴ試験されたか否かを示す第１のＩＯＴ標示であって、アップリンク・ダウンリンク構成の組み合わせの第１のセットが、その組み合わせのうちのセカンダリ・セルに対するアップリンク・ダウンリンク構成のダウンリンク・サブフレームがその組み合わせのうちのプライマリ・セルに対するアップリンク・ダウンリンク構成のダウンリンク・サブフレームのサブセットである、アップリンク・ダウンリンク構成の組み合わせを含む第１のＩＯＴ標示と、ＭＳ用のプライマリ・セルおよびセカンダリ・セルが使用するアップリンク・ダウンリンク構成の組み合わせの第２のセットがＩＯＴ試験されたか否かを示す第２のＩＯＴ標示であって、アップリンク・ダウンリンク構成の組み合わせの第２のセットが、その組み合わせのうちのセカンダリ・セルに対するアップリンク・ダウンリンク構成のダウンリンク・サブフレームがその組み合わせのうちのプライマリ・セルに対するアップリンク・ダウンリンク構成のダウンリンク・サブフレームの上位セットである、アップリンク・ダウンリンク構成の組み合わせを含む第２のＩＯＴ標示と、ＭＳ用のプライマリ・セルおよびセカンダリ・セルが使用するアップリンク・ダウンリンク構成の組み合わせの第３のセットがＩＯＴ試験されたか否かを示す第３のＩＯＴ標示であって、アップリンク・ダウンリンク構成の組み合わせの第３のセットが、その組み合わせのうちのセカンダリ・セルに対するアップリンク・ダウンリンク構成のダウンリンク・サブフレームがその組み合わせのうちのプライマリ・セルに対するアップリンク・ダウンリンク構成のダウンリンク・サブフレームのサブセットまたは上位セットのいずれでもない、アップリンク・ダウンリンク構成の組み合わせを含む第３のＩＯＴ標示とを含むことができる。
【００３９】
図１は、実施例による無線ネットワーク１３０のブロック図である。図１の無線ネットワーク１３０において、ユーザ装置（ＵＥ）と呼ばれることもある移動局（ＭＳ）１３２は、ＢＳ１３４などのｅＮＢｓ（enhanced Node Bs）と呼ばれることもある１つ以上の基地局（ＢＳ）に接続（かつ通信）することができる。ＢＳ１３４は、プライマリ・セル１３６およびセカンダリ・セル１４０などの複数のセル内の無線カバレッジを提供することができる。
【００４０】
実施例によれば、ＭＳ１３２は、キャリア・アグリゲーションを用いて通信することができ、キャリア・アグリゲーションではＭＳ１３２が複数のキャリアを介してＢＳ１３４に信号を伝送することができ、またはＢＳ１３４から信号を受信することができる。図１は、ＭＳ１３２がプライマリコンポーネント・キャリアを用いてプライマリ・セル１３６を介してＢＳ１３４と通信し、かつセカンダリ・コンポーネント・キャリアを用いてセカンダリ・セル１４０を介してＢＳ１３４と通信する、ＢＳ内（またはｅＮＢ内）キャリア・アグリゲーションの例を図示する。複数のキャリアがＭＳまたはＵＥに対して集約することができるキャリア・アグリゲーションは、データが同一のＭＳまたはＵＥに伝送される／同一のＭＳまたはＵＥから伝送されることを可能にすることができ、それによって、例えば、ビットレートの増加または高帯域幅を可能にし、および／または、ＭＳに対する／ＭＳからのトラフィック負荷のいくつかがプライマリ・セルからセカンダリ・セルに対してシフトされることを可能にする。キャリア・アグリゲーションにおいて、各集約キャリアは、コンポーネント・キャリアと呼ばれることもある。図１はＢＳ内キャリア・アグリゲーションの例を示しているが、ＢＳ間（またはｅＮＢ間）のキャリア・アグリゲーションが同様に提供されることができ、（プライマリコンポーネント・キャリアを介する）プライマリ・セルおよび（セカンダリ・コンポーネント・キャリアを介する）セカンダリ・セルが、プライマリＢＳおよびセカンダリＢＳによってそれぞれ提供することができる。各セルは、データおよび制御信号の伝送のためのいくつかのチャネルを含むことができる。例えば、プライマリ・セルおよびセカンダリ・セルの両方は、ＢＳからＭＳに制御信号を伝送するための物理ダウンリンク制御チャネル（ＰＤＣＣＨ：physical downlink control channel）、ＭＳにダウンリンク・データを伝送するための物理ダウンリンク共有チャネル（ＰＤＳＣＨ：physical downlink shared channel）、ＭＳからセルまたはＢＳにデータを伝送するための物理アップリンク共有チャネル（ＰＵＳＣＨ：physical uplink shared channel）を含むことができる。また、１つの実施例によれば、プライマリ・セル（およびプライマリコンポーネント・キャリア）のみが、ＭＳからプライマリ・セル／プライマリＢＳにアップリンク方向にいくつかの制御信号を伝送するための物理アップリンク制御チャネル（ＰＵＣＣＨ：physical uplink control channel）を含むことができる。ＰＵＣＣＨは、ダウンリンク・データの受信または受信不能を通知するためにダウンリンク複合自動再送要求（ＨＡＲＱ：Hybrid Automatic Repeat Request）肯定応答（Ａｃｋ）または否定応答（Ｎａｃｋ）を含むことができる。実施例によれば、キャリア・アグリゲーションにおいて、プライマリ・セルのみが典型的にはＰＵＣＣＨを含んでいるので、ＰＵＣＣＨ上のＡｃｋ／Ｎａｃｋは、プライマリコンポーネント・キャリアおよびセカンダリ・コンポーネント・キャリアの両方からのダウンリンクを受信したデータを肯定応答（Ａｃｋ）または否定応答（Ｎａｃｋ）することができる。同様に、１つの実施例によれば、アップリンクデータに対するダウンリンクＡｃｋ／Ｎａｃｋは、��理ハイブリッドＡＲＱインジケータ・チャネル（ＰＨＩＣＨ：Physical Hybrid ARQ Indicator Channel）を介して伝送することができる。
【００４１】
アップリンクおよびダウンリンクの伝送リソース（スケジューリング許可）は、ＭＣＳ（リソース割り当てのための変調・符号化方式）と、割り当てのためのリソースの記述（例えば、物理リソースブロックの識別などのリソースの識別）と、（例えばクロス・キャリア・スケジューリングの場合に）キャリア・インジケータ・フィールドとを含むことができるＰＤＣＣＨを介して、ダウンリンク制御情報（ＤＣＩ：downlink control information）を伝送するＢＳによってＭＳに対してＢＳによってスケジューリングされる。
【００４２】
キャリア・アグリゲーションに対して、実施例によれば、リソース（またはリソース許可）がスケジューリングすることができる２つの方法がある。第１に、同じキャリア・スケジューリング（またはセルフスケジューリング）の場合、コンポーネント・キャリア上のＰＤＣＣＨ上に提供される信号は、同一のコンポーネント・キャリア上にアップリンク・リソース（ＰＵＳＣＨチャネル上のリソース）およびダウンリンク・リソース（ＰＤＳＣＨチャネル上のリソース）をアサインする。したがって、例えば、セカンダリ・コンポーネント・キャリアのＰＤＣＣＨは、同一のセカンダリ・コンポーネント・キャリアに対するアップリンクまたはダウンリンク・リソースの許可をスケジューリングすることができる。
【００４３】
第２に、クロス・キャリア・スケジューリングの場合、第１のコンポーネント・キャリアのＰＤＣＣＨは、別のコンポーネント・キャリアに対してアップリンク（例えばＰＵＳＣＨ）リソースもしくはダウンリンク（ＰＤＳＣＨ）リソースをアサインまたはスケジューリングすることができる。例えば、プライマリ・セル１３６は、プライマリコンポーネント・キャリアのＰＤＣＣＨを介して、セカンダリ・コンポーネント・キャリア（関連するセカンダリ・セル１４０）に対するアップリンク・リソース（ＰＵＳＣＨ）もしくはダウンリンク・リソース（ＰＤＳＣＨ）のためのリソース（またはリソース許可）をスケジューリングまたはアサインすることができる。例えば、クロス・キャリア・スケジューリングの場合、ＰＤＣＣＨ上のリソース許可は、リソース（例えば、物理リソースブロック）、ＭＣＳ（スケジューリングされたリソースの変調・符号化方式）、およびリソースがアサインされるキャリア（例えば、キャリア・インジケータ・フィールドを介して）を識別することができる。プライマリコンポーネント・キャリア上のリソースは、セカンダリ・コンポーネント・キャリアのＰＤＣＣＨによってスケジューリングされるクロス・キャリアでなくてもよい。そのため、クロス・キャリア・スケジューリングは、典型的には、例えば、プライマリコンポーネント・キャリアのＰＤＣＣＨによってスケジューリングされるセカンダリ・コンポーネント・キャリアまたは別のセカンダリ・コンポーネント・キャリアのためのリソースを含む。
【００４４】
図２は、実施例による時分割デュープレックス（ＴＤＤ：Ｔｉｍｅ−Ｄｉｖｉｓｉｏｎ  Ｄｕｐｌｅｘ）無線フレームを示す図である。無線フレーム２１０は、複数のサブフレーム（ＳＦ）を含むことができる。この例において、無線フレーム２１０は、ＳＦ０、ＳＦ１、ＳＦ２、ＳＦ３、ＳＦ４、ＳＦ５、ＳＦ６、ＳＦ７、ＳＦ８、およびＳＦ９を含む１０個のサブフレーム（サブフレーム０−９）を含む。例えば、時分割デュープレックスの場合、単一のキャリア周波数が用いられ、アップリンクおよびダウンリンク伝送は時間的に分離される。無線フレーム２１０に対して、各サブフレームは、ダウンリンク・サブフレーム、アップリンク・サブフレーム、または表１に示されるような既存のＵＬ−ＤＬ構成によるスペシャルサブフレームのうちのいずれかとして割り当てることができる。ダウンリンクからアップリンクまでのスイッチが、スペシャルサブフレーム内に生じる。スペシャルサブフレームはダウンリンク部（ＤｗＰＴＳ）、ガード期間（ＧＰ）およびアップリンク部（ＵｐＰＴＳ）を含む。アップリンク伝送およびダウンリンク伝送に割り当てられるリソースの量およびタイミング（または無線フレーム内の場所）は、ＴＤＤ無線フレームごとに異なるアップリンク・ダウンリンク（ＵＬ−ＤＬ）構成によって変更することができる。
【００４５】
表１は、ＴＤＤ無線フレームのための７つのＵＬ−ＤＬ構成例を識別する（ここで、Ｄはダウンリンク・サブフレームを示し、Ｕはアップリンク・サブフレームを示し、Ｓはスペシャルサブフレームを示す）。この例示としての一例において、サブフレーム０および５は、常にダウンリンク・サブフレームであり、サブフレーム２は、常にアップリンク・サブフレームであり、サブフレーム１は、常にスペシャルサブフレームである。しかしながら、この例において、表１の個別のＵＬ−ＤＬ構成によって示されるように、他のサブフレームは、アップリンク伝送またはダウンリンク伝送のどちらかに柔軟に割り当てることができる。これらの個別のＵＬ−ＤＬ構成は、セルのニーズに依存して、ＵＬ伝送のためのさらなるリソース、またはＤＬ伝送のためのさらなるリソースを可能にすることができる。一般に、ＢＳは、例えば、各セルまたはＢＳにおいて個別のニーズまたはトラフィック需要に基づいて、個別のＵＬ−ＤＬ構成を用いることができる。
【００４６】
【表１】
2017509216.tif 000003
【００４７】
表１は、ＴＤＤ無線フレームのためのＵＬ−ＤＬ構成である。
【００４８】
実施例によれば、キャリア・アグリゲーションがＭＳ用に用いられるときに、プライマリ・セルおよびセカンダリ・セルは、ＴＤＤ無線フレームのための個別のＵＬ−ＤＬ構成を用いることができる。一般に、無線フレームのための７つの個別のＵＬ−ＤＬ構成とともに、キャリア・アグリゲーションがＭＳのための用いられる場合にプライマリ・セルおよびセカンダリ・セルによって用いられる７×７＝４９個の個別のＵＬ−ＤＬ構成の組み合わせがあることができる。上述のように、相互運用性試験は規格（例えばＬＴＥ）に準拠する方式で装置またはシステム（例えば、ＭＳまたはＢＳのハードウェアおよび／またはソフトウェア）が動作することを確認するために実行することができる。
【００４９】
１つの実施例によれば、相互運用性試験はＵＬ−ＤＬ構成の１つ以上の組み合わせに対して実行されることができ、ＭＳは、どのＵＬ−ＤＬ構成の組み合わせがＩＯＴ試験されたのか（例えば、システム／装置がＩＯＴ試験をパスした、ということを意味する）を示すために、ＢＳにＩＯＴ（相互運用性試験）情報を送信することができる。例えば、このような構成の組み合わせがＩＯＴ試験されたということを示すために、例えば、４９個の個別の構成の組み合わせの各々（または少なくともそれらのいくつか）に対するＩＯＴビットが、１にセットすることができる。このように、プライマリ・セルは、例えば、キャリア・アグリゲーションのためにＭＳによってＩＯＴ試験されたＵＬ−ＤＬ構成の組み合わせのＵＬ−ＤＬ構成を選択することができる。例えば、セカンダリ・セルは、ＩＯＴ試験されたとしてＭＳによってレポートされた構成の組み合わせからのみＵＬ−ＤＬ構成を同様に選択することができる。そのため、ＢＳ内キャリア・アグリゲーションの場合、ＢＳは、ＩＯＴ試験されたとしてＭＳによって示されたプライマリ・セルおよびセカンダリ・セルによって用いられるＵＬ−ＤＬ構成の組み合わせを選択することができる。
【００５０】
キャリア・アグリゲーションに対する１つのＵＬ−ＤＬ構成の組み合わせは、ＵＬ−ＤＬ構成０を用いるプライマリ・セルと、ＵＬ−ＤＬ構成２を用いるセカンダリ・セルとを含むことができる（表１を参照）。例えば、ＭＳがキャリア・アグリゲーションのためのこの構成の（プライマリ・セルに対するＵＬ−ＤＬ構成０およびセカンダリ・セルに対するＵＬ−ＤＬ構成２）組み合わせのためのＩＯＴ試験されたものの場合、ＩＯＴフィールドまたはその関連するＵＬ−ＤＬ構成の組み合わせのためのビットに１が提供することができる。例えば、ＵＬ−ＤＬ構成の組み合わせのためのこのようなＩＯＴテスト情報は、ＢＳに送信または通信することができる能力情報（capability information）内に含まれることができる。ＩＯＴ情報は、代替え的に、他のメッセージ内に含まれることができる。
【００５１】
別の実施例によれば、キャリア・アグリゲーションがＭＳに用いられる場合にＵＬ−ＤＬ構成の組み合わせのためのＩＯＴ情報をレポートするために、他の技術が用いられることができる。実施例によれば、例えば（ＭＳのための装置／システムの物理層など）がシステムまたは装置、同一または同様の方式でＵＬ−ＤＬ構成の組み合わせのこのようなセットに対して処理を実行する場合に、このような構成の組み合わせにいくつかの共通の特性があるので、ＵＬ−ＤＬ構成の組み合わせのいくつかのセット（またはサブセット）は、グループ化することができる。例えば、ＵＬ−ＤＬ構成の組み合わせは、組み合わせに対してセカンダリ・セルに対するＵＬ−ＤＬ構成とプライマリ・セルのＤＬサブフレームとの間のＤＬサブフレームのオーバーラップに基づいて複数の（例えば３個の）個別のセットに分割することができる。そのため、実施例によれば、キャリア・アグリゲーションのためのＵＬ−ＤＬ構成の組み合わせの３つの個別のセットは、ＩＯＴ試験することができる。そして、ＩＯＴ標示は、その後、ＵＬ−ＤＬ構成の組み合わせの各セットがＩＯＴ試験されたか否かを示すために、構成の組み合わせの３つのセットの各々に対して、１つ以上のＢＳに対してＭＳによって提供することができる。
【００５２】
別の実施例によれば、相互運用性試験は、ＵＬ−ＤＬ構成の組み合わせの複数のセット（例えば３つのセット）の各々に対して実行されることができ、その後、ＭＳは、ＩＯＴ試験がこれらの３つのセットの各々に対して行なわれた（または行なわれなかった）ことを示すために、ＢＳに対して、ＵＬ−ＤＬ構成の組み合わせのこれらの３つのセットの各々のＩＯＴ標示を伝送または送信することができる。このように、ＵＬ−ＤＬ構成の組み合わせのグループ化に（例えば３セットの構成の組み合わせに）よって、ＩＯＴ標示は、４９ビットの代わりに、非常に効率的またはコンパクトな方式（例えば３ビット）（または構成の組み合わせごとに１ビットの代わりに３ビット）でＭＳによってＢＳに対して提供することができる。
【００５３】
実施例によれば、アップリンク・ダウンリンク構成の組み合わせの第１のセットは、その組み合わせのうちのセカンダリ・セルに対するアップリンク・ダウンリンク構成のダウンリンク・サブフレームが、その組み合わせのうちのプライマリ・セルに対するアップリンク・ダウンリンク構成のダウンリンク・サブフレームのサブセットである、アップリンク・ダウンリンク構成の組み合わせを含むことができる。例えば、この第１のセット内に含まれる組み合わせは、プライマリ・セルがＵＬ−ＤＬ構成２を用い、セカンダリ・セルがＵＬ−ＤＬ構成０を用いる場合を含む。このような組み合わせにおいて、表１によって示されるように、サブフレーム０および５は、ＵＬ−ＤＬ構成０のためのダウンリンク・サブフレームであり、その一方で、サブフレーム０、３、４、５および８は、ＵＬ−ＤＬ構成２のためのダウンリンクである。したがって、構成０（サブフレーム０および５）のダウンリンク・サブフレームは、構成２（サブフレーム０、３、４、５、および８）のダウンリンク・サブフレームのサブセットである。これは単なる一例であり、ＵＬ−ＤＬ構成の組み合わせのこの第１のセットのための他の構成の組み合わせが存在する。
【００５４】
実施例によれば、アップリンク・ダウンリンク構成の組み合わせの第２のセットは、その組み合わせのうちのセカンダリ・セルに対するアップリンク・ダウンリンク構成のダウンリンク・サブフレームが、その組み合わせのうちのプライマリ・セルに対するアップリンク・ダウンリンク構成のダウンリンク・サブフレームの上位セットである、アップリンク・ダウンリンク構成の組み合わせを含むことができる。例えば、この第１のセット内に含まれる組み合わせは、プライマリ・セルがＵＬ−ＤＬ構成０を用い、セカンダリ・セルがＵＬ−ＤＬ構成１を用いる場合を含む。このような組み合わせにおいて、構成のダウンリンク・サブフレーム１（サブフレーム０、４、５、および９）は、構成０のダウンリンク・サブフレーム（サブフレーム０および５）の上位セットである。これは単なる一例であり、ＵＬ−ＤＬ構成の組み合わせのこの第２のセットのための他の構成の組み合わせがある。
【００５５】
実施例によれば、アップリンク・ダウンリンク構成の組み合わせの第３のセットは、その組み合わせのうちのセカンダリ・セルに対するアップリンク・ダウンリンク構成のダウンリンク・サブフレームが、その組み合わせのうちのプライマリ・セルに対するアップリンク・ダウンリンク構成のダウンリンク・サブフレームのサブセットまたは上位セットのいずれでもない、アップリンク・ダウンリンク構成の組み合わせを含むことができる。例えば、この第３のセット内に含まれる組み合わせは、プライマリ・セルがＵＬ−ＤＬ構成１を用い、セカンダリ・セルがＵＬ−ＤＬ構成３を用いる場合を含む。このような組み合わせにおいて、構成３のダウンリンク・サブフレーム（サブフレーム０、５、６、７、８、および９）は、構成１のダウンリンク・サブフレーム（サブフレーム０、４、５、および９）のサブセットでも上位セットでもない。これは単なる一例であり、ＵＬ−ＤＬ構成の組み合わせのこの第３のセットのための他の構成の組み合わせがある。
【００５６】
実施例によれば、１セットのＵＬ構成組み合わせ内のＩＯＴ試験の１つの構成の組み合わせは、構成の組み合わせのセットがＩＯＴ試験されたことを示すこのようなセットのためにＩＯＴ標示を提供するのに充分になり得る。他の実施例において、各セットの構成の付加的な組み合わせ（またはすべての組み合わせでさえも）が、関連するＩＯＴ標示の提供または設定の前に、必要とされ得る。
【００５７】
図３は、実施例による相互運用性試験（ＩＯＴ）フィールドを示す図である。１つの実施例によれば、ＩＯＴフィールド３１２は、１つ以上のＵＬ−ＤＬ構成の組み合わせの各々に対してＩＯＴ標示を提供することができる。
【００５８】
別の実施例において、ＩＯＴフィールド３１２は、ＵＬ−ＤＬ構成の組み合わせの複数のセットの各々に対してＩＯＴ標示を提供することができ、例えば、各セットは、複数のＵＬ−ＤＬ構成の組み合わせを含むことができる。例えば、ＩＯＴフィールド３１２は、例として、各ＵＬ−ＤＬ構成の組み合わせごとのビット、またはＵＬ−ＤＬ構成の組み合わせの各々のセットごとのビットを含むことができる。
【００５９】
ＩＯＴフィールド３１２は、例えば、ＭＳによってＢＳに対して送信されることができ、能力メッセージ（capability message）３１０または他のメッセージ内に提供される（または含まれる）ことができる。ＩＯＴフィールド３１２は、例えば、ＵＬ−ＤＬ構成の組み合わせの３つのセットの各々がＩＯＴ試験されたか（またはＩＯＴであったか）否かを示すために、例えば、ＵＬ−ＤＬ構成の組み合わせの３つのセットの各々に対してサブフィールド（例えばビット）を含むことができる。例えば、ＩＯＴフィールド３１２は、サブセットフィールド３１４と、上位セットフィールド３１６と、どちらでもないフィールド（neither field）３１８とを含むことができる。但し、フィールド３１４、３１６、および３１６は、任意の名称を有することができ、これらは単なる例である。例えば、フィールド３１４、３１６、および３１８は、（ＵＬ−ＤＬ構成の組み合わせの第１のセットのためのＩＯＴ標示を提供する）ＩＯＴ１、（ＵＬ−ＤＬ構成の組み合わせの第２のセットのためのＩＯＴ標示を提供する）ＩＯＴ２、および（ＵＬ−ＤＬ構成の組み合わせの第３のセットのためのＩＯＴ標示を提供する）ＩＯＴ３と呼ぶことができる。
【００６０】
例えば、サブセットフィールド３１４は、ＵＬ−ＤＬ構成の組み合わせの第１のセットがＩＯＴ試験されたか否かを示すことができる。例えば、セカンダリ・セルＵＬ−ＤＬ構成のダウンリンク・サブフレームがプライマリ・セルＵＬ−ＤＬ構成のダウンリンク・サブフレームのサブセットである場合、第１のセットは、第１のセット内の各組み合わせに対して、ＵＬ−ＤＬ構成の組み合わせを含むことができる。
【００６１】
上位セットフィールド３１６は、ＵＬ−ＤＬ構成の組み合わせの第２のセットがＩＯＴ試験されたか否かを示すことができる。例えば、セカンダリ・セルＵＬ−ＤＬ構成のダウンリンク・サブフレームがプライマリ・セルＵＬ−ＤＬ構成のダウンリンク・サブフレームの上位セットである場合、第２のセットは、第２のセット内の各組み合わせに対して、ＵＬ−ＤＬ構成の組み合わせを含むことができる。
【００６２】
どちらでもないフィールド３１８は、ＵＬ−ＤＬ構成の組み合わせの第３のセットがＩＯＴ試験されたか否かを示すことができる。例えば、第３のセットは、第３のセット内の各組み合わせに対して、セカンダリ・セルＵＬ−ＤＬ構成のダウンリンク・サブフレームがプライマリ・セルＵＬ−ＤＬ構成のダウンリンク・サブフレームのサブセットまたは上位セットのいずれかででもない、ＵＬ−ＤＬ構成の組み合わせを含むことができる。ＩＯＴフィールド３１２は、単なる一例であり、他のインプリメンテーションが用いられることができる。
【００６３】
図４は、実施例による３セットの構成の組み合わせの各々のためのＵＬ−ＤＬ構成の組み合わせを識別する図である。図４の図は、最上部または水平列の上にプライマリ・セル（Ｐｃｅｌｌ）ＳＩＢ１のＵＬ−ＤＬ構成と、左上に垂直の列としてセカンダリ・セル（Ｓｃｅｌｌ）ＳＩＢ１のＵＬ−ＤＬ構成とを含む。ＳＩＢ１は、ＢＳが使用のために選択されたということをＵＬ−ＤＬ構成のＭＳにＢＳが通知するシステム情報ブロックである。
【００６４】
図４において、構成の組み合わせの第１のセット、第２のセットおよび第３のセットは、組み合わせケースＡ、組み合わせケースＢ、および組み合わせケースＣとしてそれぞれ示される。そのため、第１のセット（各組み合わせに対して、セカンダリ・セルＤＬサブフレームはプライマリ・セルＤＬサブフレームのサブセットである）は、ケースＡとして示される。図４においてこの条件を満たす構成の組み合わせの各々は、文字「Ａ」により識別される。第２のセット（各組み合わせに対して、セカンダリ・セルＤＬサブフレームはプライマリ・セルＤＬサブフレームの上位セットである）は、ケースＢとして示される。図４においてこの条件を満たす構成の組み合わせの各々は、文字「Ｂ」により識別される。第３のセット（各組み合わせに対して、セカンダリ・セルＤＬサブフレームはプライマリ・セルＤＬサブフレームのサブセットまたは上位セットのいずれでもない）は、ケースＣとして示される。図４においてこの条件を満たす構成の組み合わせの各々は、文字「Ｃ」により識別される。
【００６５】
実施例によれば、図８のケースＡおよびケースＤを分割するために、もう１ビットを有することも可能である。
【００６６】
図５−図８は、図４のケースＡ、Ｂ、およびＣに対するサブケースを識別する。図５−図８は、ＵＬデータ伝送およびＤＬデータ伝送の両方のための、セルフスケジューリングおよびクロス・キャリア・スケジューリングのケースのためのセカンダリ・セルＨＡＲＱ  Ａｃｋ／Ｎａｃｋに用いられるようにスケジューリングされた基準ＵＬ−ＤＬを識別する。図５−図８の各ボックスにおいて、各ボックス内のサブケースを識別する文字（Ａ、Ｂ、Ｃ、またはＤ）の後に番号が続くが、その一方で、文字に後続する数は、セカンダリ・セルに対するＨＡＲＱ  Ａｃｋ／Ｎａｃｋタイミングを導き出すために用いられる基準ＵＬ−ＤＬ構成を識別する。（図５−図８における）文字Ａ、Ｂ、Ｃ、およびＤは、図４に示されるケースＡ、Ｂ、およびＣには対応しないが、図４に示されるケースＡ、Ｂ、およびＣのための個別のサブケースを記載するために用いられる。
【００６７】
例えば、基準ＵＬ−ＤＬ構成は、セカンダリ・セルに対するＨＡＲＱ  Ａｃｋ／Ｎａｃｋタイミングを導き出すことに対して用いることができる、ここで（例えば、プライマリおよびセカンダリ・セルのＵＬ−ＤＬ構成間のコンフリクトに基づく）プライマリ・セルのＵＬ−ＤＬ構成は、基準ＵＬ−ＤＬ構成としてセカンダリ・セルＡｃｋ／Ｎａｃｋに用いられるために必要とされ得る。例えば、ＵＬ  Ａｃｋ／Ｎａｃｋは、プライマリコンポーネント・キャリア上のＰＵＣＣＨを介してのみ送信されるので、基準ＵＬ−ＤＬ構成もまた、セカンダリ・セルに対して用いられることができる。そのため、プライマリ・セルによって用いられるＵＬ−ＤＬ構成は、セカンダリ・セルに対するＡｃｋ／Ｎａｃｋのタイミングに影響を与え得る。
【００６８】
図５は、実施例による、セルフ（または同じキャリア）スケジューリングケースのためのＤＬ  ＨＡＲＱタイミング（ＰＤＳＣＨを介したダウンリンク・データ、およびＵＬ  Ａｃｋ／Ｎａｃｋ）に対してセカンダリ・セル（ＳＣｅｌｌ）によって用いられる基準ＵＬ−ＤＬ構成を識別する図である。図６は、実施例によるクロス・キャリアのスケジューリングのためのＤＬ  ＨＡＲＱタイミング（ＰＤＳＣＨを介したダウンリンク・データ、およびＵＬ  Ａｃｋ／Ｎａｃｋ）に対してセカンダリ・セル（ＳＣｅｌｌ）によって用いられる基準ＵＬ−ＤＬ構成を識別する図である。図５および図６のチャート内の文字（例えばＡまたはＢまたはＣ）は、（図４によって示されるように、サブセット、上位セット、または、どちらでもない、のいずれかの）セットを識別する。チャート内の文字に後続する番号は、セカンダリ・セル（またはＳＣｅｌｌ）ＰＤＳＣＨ  ＨＡＲＱタイミングが後続する基準ＵＬ−ＤＬ構成を識別する。言いかえれば、ＰＤＳＣＨチャネルを介して伝送されるダウンリンク・データに対して、基準ＵＬ−ＤＬ構成は、ＵＬ  Ａｃｋ／Ｎａｃｋのためのタイミングを識別する。図６がクロス・キャリア・スケジューリングケースを図示する一方で、図５は同じキャリア・スケジューリングのケースを図示する。
【００６９】
（２個以上のセルを含む）キャリア・アグリゲーションのための実施例によれば、ＤＬ  ＨＡＲＱタイミング（ＰＵＣＣＨを介したＰＤＳＣＨ、およびＵＬ  Ａｃｋ／Ｎａｃｋを介したダウンリンク・データ）に対して、セルの組み合わせは、ＳＣｅｌｌセルおよびＰＣｅｌｌセルと呼ぶことができる。これは、（プライマリコンポーネント・キャリアを介して）ＰｃｅｌｌにおいてＰＵＣＣＨ（ＵＬ  Ａｃｋ／Ｎａｃｋを提供する物理アップリンク制御チャネル）のみを伝送することができるからであり、そのため、組み合わせはプライマリ・セル（Ｐｃｅｌｌ）を含まなければならない。ＵＬ  ＨＡＲＱタイミング（ＰＵＳＣＨを介したＵＬデータ、ＤＬ  Ａｃｋ／Ｎａｃｋ）に対して、セルの組み合わせはスケジュールされたセルおよびスケジューリングセルと呼ぶことができる。複数のキャリアが利用可能な場合、スケジューリングセルは、Ｓｃｅｌｌにすることができる。すなわち、ＳＣｅｌｌは別のＳｃｅｌｌをスケジュールすることができる。２個のセルのみが集約される場合、スケジュールされたセルおよびスケジューリングセルは、セカンダリ・セル（Ｓｃｅｌｌ）およびプライマリ・セル（Ｐｃｅｌｌ）とそれぞれ呼ぶことができる。
【００７０】
図７は、実施例による、セルフ（または同じキャリア）スケジューリングケースのためのＵＬ  ＨＡＲＱタイミング（ＰＵＳＣＨを介したアップリンクデータ、およびＤＬ  Ａｃｋ／Ｎａｃｋ）に対してスケジュールされたセルによって用いられる基準ＵＬ−ＤＬ構成を識別する図である。図８は、実施例による、クロス・キャリア・スケジューリングケースのためのＵＬ  ＨＡＲＱタイミング（ＰＵＳＣＨを介したアップリンクデータ、およびＤＬ  Ａｃｋ／Ｎａｃｋ）に対してスケジュールされたセルによって用いられる基準ＵＬ−ＤＬ構成を識別する図である。図７および図８のチャート内の文字（例えばＡまたはＢまたはＣ）は、（図４によって示されるように、サブセット、上位セット、または、どちらでもない、のいずれかの）セットを識別する。文字Ｄは、ＵＬ−ＤＬ構成の組み合わせの第４のセットに対応する。チャート内の文字に後続する番号は、スケジュールされたセルＰＵＳＣＨ  ＨＡＲＱタイミングが後続する基準ＵＬ−ＤＬ構成を識別する。言いかえれば、ＰＵＳＣＨチャネルを介して伝送されるアップリンクデータに対して、基準ＵＬ−ＤＬ構成は、ＤＬ  Ａｃｋ／Ｎａｃｋのためのタイミングを識別する。図８がクロス・キャリア・スケジューリングケースを図示する一方で、図７は同じキャリア・スケジューリングのケースを図示する。
【００７１】
図７および図８において、文字Ｄは、第４のケース、またはケースＤを指し、ここで、図７または図８のケースＡおよびＤは、図４のケースＢに対応する。図７および図８のケースＡでは、Ｓｃｅｌｌ  ＤＬサブフレームは、Ｐｃｅｌｌ  ＤＬサブフレームの上位セットであり、Ｐｃｅｌｌ構成のためのＨＡＲＱラウンドトリップ時間（ＲＴＴ）は、１０ｍｓである。図７−図８のケースＤでは、Ｓｃｅｌｌ ＤＬサブフレームは、Ｐｃｅｌｌ  ＤＬサブフレームの上位セットであり、Ｐｃｅｌｌ構成のためのＨＡＲＱ  ＲＴＴは１０ｍｓではない。そのため、図７−図８におけるケースＡおよびケースＤは、個別のビットを用いることによって分割することができる。
【００７２】
（図５−図８における）文字Ａ、Ｂ、Ｃ、およびＤは、図４に示されるケースＡ、Ｂ、およびＣに対応しないが、図４に示されるケースＡ、ケースＢ、およびケースＣに対応する個別のサブケースを示すために用いられる。
【００７３】
そのため実施例によれば、プライマリ・セル（Ｐｃｅｌｌ）およびセカンダリ・セル（Ｓｃｅｌｌ）ＵＬ−ＤＬ構成の組み合わせは、以下のセットまたはケースに分類することができ、ＩＯＴ標示は、以下の各々のセットまたはケースに対して個別に提供することができる。
【００７４】
ケースＡ（図４−図８におけるケースＡに対応する）：セカンダリ・セル（ＳＣｅｌｌ）ＤＬサブフレームは、プライマリ・セル（ＰＣｅｌｌ）ＳＩＢ１構成ＤＬサブフレームのサブセットである（ＰＣｅｌｌ・ＤＬは重い（例えば、ＰＣｅｌｌはＳｃｅｌｌよりも多いＤＬサブフレームを有する）、例えば、構成番号２をもつＰＣｅｌｌ、構成番号０をもつＳＣｅｌｌ））。ケースＡは、以下のスケジューリングを含む２つのサブケース例を含むことができる。
１）セルフスケジューリング：ＳＣｅｌｌのためのＤＬ基準構成は、ＰＣｅｌｌ  ＳＩＢ１構成であり（図５のケースＡ）、ＳＣｅｌｌのためのＵＬ基準構成は、ＳＣｅｌｌ  ＳＩＢ１構成である（図７のケースＢ）。
２）クロススケジューリング：ＳＣｅｌｌのためのＤＬ基準構成は、ＰＣｅｌｌ  ＳＩＢ１構成であり（図６のケースＡ）、
ＳＣｅｌｌのためのＵＬ基準構成は、スケジュールされたセル（ＳＣｅｌｌ）ＳＩＢ１構成である（図８のケースＢ）。また、ＰＨＩＣＨのない動作が提供を（ＰＨＩＣＨチャネルを伴わない動作が提供することができる）。ＰＨＩＣＨのない動作は、以下を含むことができる。例えば、ＰＨＩＣＨがセカンダリ・セルＰＵＳＣＨチャネルに対するＡｃｋ／Ｎａｃｋを送信するセカンダリ・セル上で利用不可能である場合、ＭＳはすべてのデータが肯定応答されたと想定することができる。
【００７５】
ケースＢ：ＳＣｅｌｌ  ＤＬサブフレームは、図４のケースＢにおいて示されるように、ＳＩＢ１構成によるＰＣｅｌｌの上位セットである（ＰＣｅｌｌの重いＤＬ（ＰＣｅｌｌはＳＣｅｌｌよりも多いＵＬサブフレームを有する）例えば構成番号０をもつＰＣｅｌｌ、構成番号２をもつＳＣｅｌｌ）。
【００７６】
１）セルフスケジューリング：ＳＣｅｌｌのためのＤＬ基準構成は、ＳＣｅｌｌ  ＳＩＢ１構成であり（図５のケースＢ）、および、ＳＣｅｌｌのための基準構成は、ＳＣｅｌｌ  ＳＩＢ１構成である（図７のケースＡ＋Ｄ）。
【００７７】
２）クロススケジューリング：ＳＣｅｌｌのためのＤＬ基準構成は、ＰＣｅｌｌ  ＳＩＢ１構成であり（図６のケースＢ）、ＳＣｅｌｌのためのＵＬ基準構成は、スケジューリングセル（ＰＣｅｌｌ）ＳＩＢ１構成（図８のケースＡ）またはスケジュールされたセル（ＳＣｅｌｌ）ＳＩＢ１または組み合わせ（図８内のケースＤ）によるある既定の構成（例えばＵＬ−ＤＬ構成番号１（表１））である。
【００７８】
ケースＣ：ＳＣｅｌｌ  ＤＬサブフレームは、ＳＩＢ１構成によるＰＣｅｌｌ  ＤＬサブフレームの上位セットでもサブセットでもない（例えば、図４のケースＣに示されるように、ＵＬ−ＤＬ構成番号２をもつＰＣｅｌｌ、ＵＬ−ＤＬ構成番号３をもつＳＣｅｌｌ）。
【００７９】
１）セルフスケジューリング：ＳＣｅｌｌのためのＤＬ基準構成は、ＰＣｅｌｌ／ＳＣｅｌｌ  ＳＩＢ１構成（既定）とは異なるＵＬ−ＤＬ構成であり（図５のケースＣ）、ＳＣｅｌｌのためのＵＬ基準構成は、ＳＣｅｌｌ  ＳＩＢ１構成である（図７のケースＣ）。
【００８０】
２）クロススケジューリング：ＳＣｅｌｌのためのＤＬ基準構成は、ＰＣｅｌｌ  ＳＩＢ１構成であり（図６のケースＣ）、ＳＣｅｌｌのためのＵＬ基準構成は、スケジュールされたセル（ＳＣｅｌｌ）ＳＩＢ１構成である（図８のケースＣ）。
【００８１】
また、ＰＨＩＣＨのない動作を提供することができる（ＰＨＩＣＨチャネルを伴わない動作が提供することができる）。
【００８２】
実施例において、各ビットまたはサブフィールドが、以上に言及した３つのケースの各々に対してＩＯＴ標示を提供することができる場合、ＩＯＴ標示を提供するために３ビットが用いられることができる。各ビットは、ケース（ケースＡ、Ｂ、またはＣ）のうちの１つのＵＬ−ＤＬ構成の組み合わせのセットがＩＯＴ試験されたか否かを示すことができる（ＭＳのためにＩＯＴ試験された、またはＭＳ内のシステム／装置と同様の同じまたはシステム／装置のためにＩＯＴ試験された）。ＢＳは、例えば、ＵＬ−ＤＬ構成の組み合わせのための１つ以上セットのＩＯＴ標示を受信することができ、例えば、ＩＯＴ試験されたＵＬ−ＤＬ構成の組み合わせのセットの（または、そのメンバである）ＵＬ−ＤＬ構成を選択することができる。このように、キャリア・アグリゲーションが用いられる場合、プライマリＢＳまたはセカンダリＢＳのいずれかとして作用するＢＳは、ＩＯＴ試験されたＵＬ−ＤＬ構成を選択することができる。
【００８３】
また他の分類も可能である。例えば、別個の能力ビット（capability bit）を既に有するクロススケジューリングを考慮しない場合、ケースＡおよびケースＢは、マージまたは組み合わせられ、単一のビット（または単一のＩＯＴ標示）を用いてレポートすることができる。このような実施例において、１）組み合わされたケースＡおよびＢ、および３）ケースＣのためのＩＯＴ標示を提供するために２ビットのみが必要になり得る。
【００８４】
そのため、実施例によれば、ＵＬ−ＤＬ構成の組み合わせの個別のセットの各々のためのＭＳ（ＵＥ）の能力情報（capability information）またはＩＯＴ標示を提供するために、３ビットが用いられることができる。
【００８５】
別の実施例によれば、ＵＬ−ＤＬ構成のためのＩＯＴ標示を提供するために、４ビットが用いられることができる。図４のケースＡは、２セットの構成の組み合わせにさらに分割することができ、１つのセットは、スケジューリングセルのＵＬ  ＨＡＲＱタイミングが１０ｍｓである図７および図８のケースＡと同一であり、別のセットは、スケジューリングセルのＵＬ  ＨＡＲＱタイミングが１０ｍｓではない図７、図８のケースＤと同一である。
【００８６】
別の実施例によれば、別個の能力ビットがキャリアクロススケジューリングのために提供される場合、ＩＯＴ標示は、セルフスケジューリングサブケースのためのＩＯＴ情報のみをレポートすることができる。
【００８７】
個別のＴＤＤ構成の組み合わせのＵＥ能力／ＩＯＴ標示のための２ビットのうち、
【００８８】
１ビットは、ＵＥサポートであろうと／ＩＯＴ試験されていようと、ＳＣｅｌｌ  ＤＬサブフレームのＴＤＤ構成の組み合わせがＳＩＢ１構成によるＰＣｅｌｌのサブセットであるか、またはＳＣｅｌｌ  ＤＬサブフレームの組み合わせがＳＩＢ１構成によるＰＣｅｌｌの上位セットであるかを示す。
【００８９】
１ビットは、ＵＥサポートであろうと／ＩＯＴ試験されていようと、ＳＣｅｌｌ  ＤＬサブフレームのＴＤＤ構成の組み合わせがＳＩＢ１構成によるＰＣｅｌｌの上位セットでもサブセットでもないかを示す。
【００９０】
標示は、ＵＥごと、または帯域の組み合わせごと（（非ＣＡの帯域の組み合わせに対して必要とされない）ＣＡ帯域の組み合わせに対してのみ）であるかもしれない。帯域の組み合わせ標示ごとに、ＵＥは、各ＣＡ帯域の組み合わせのためのＴＤＤ構成の組み合わせの各セットのためのＩＯＴ標示を示すからである。
【００９１】
また、セルフスケジューリングおよびクロススケジューリングのための別個の標示を有することも可能である。例えば、セルフスケジューリングに対して：各々のケース（ケースＡ、Ｂ、Ｃ）ごとに１ビットのＩＯＴ標示、またはケースＡ＋ケースＢごとに１ビット、およびケースＣごとに１ビットのＩＯＴ標示が用いられることができる。（例えば、クロス・キャリア・スケジューリングが可能であることをＭＳが示す場合のみ必要になり得る）クロススケジューリングに対して、各々のケース（ケースＡ、Ｂ、Ｃ）ごとに１ビットのＩＯＴ標示、またはケースＡ＋ケースＣごとに１ビット、およびケースＢごとに１ビットのＩＯＴ標示が用いられることができる。これらは単なる付加的な実施例であり、他のインプリメンテーションが用いられることができる。
【００９２】
（以下の）表２は、サービングセルによって用いられるＵＬ−ＤＬ構成に基づいたサービングセルに対するいくつかのＵＬ基準ＵＬ−ＤＬ構成例を示す。例えば、サービングセルは、キャリア・アグリゲーションの場合に、プライマリ・セルおよびセカンダリ・セルを含むことができる。ＴＤＤに対して、ＭＳが１つ以上のサービングセル（例えばキャリア・アグリゲーション）とともに構成される場合かつ少なくとも２つのサービングセルのＵＬ−ＤＬ構成が異なる場合、サービングセルがプライマリ・セルである場合、またはＭＳがサービングセルをスケジューリングするために別のサービングセル内のＰＤＣＣＨをモニタするように構成されない場合、サービングセルＵＬ−ＤＬ構成は、ＵＬ基準ＵＬ−ＤＬ構成である。サービングセルがセカンダリ・セルである場合、かつＵＥがサービングセルをスケジューリングするために別のサービングセル内のＰＤＣＣＨ／ＥＰＤＣＣＨをモニタするように構成される（すなわち、セカンダリ・セルが別のセルによってクロススケジュールされる）場合、サービングセルＵＬ−ＤＬ構成は、表２に言及されたＵＬ基準ＵＬ−ＤＬ構成である。
【００９３】
表２に記載のＵＬ基準構成に対して、セット１（表２）は、図８のケースＡに対応することができ（例えば、Ｓｃｅｌｌ  ＤＬサブフレームは、Ｐｃｅｌｌ  ＤＬサブフレームの上位セットであり、Ｐｃｅｌｌ  ＨＡＲＱ  ＲＴＴ（ラウンドトリップ時間）は、１０ｍｓである（図４のブロックのいくつかを含む））、セット２（表２）は、図８のケースＢに対応することができ（例えば、Ｓｃｅｌｌ  ＤＬサブフレームは、Ｐｃｅｌｌ  ＤＬサブフレームのサブセットである（さらに図４のケースＡ））、セット３（表２）は、図８のケースＣに対応することができ（例えば、Ｓｃｅｌｌ  ＤＬサブフレームは、Ｐｃｅｌｌ  ＤＬサブフレームのサブセットでも上位セットでもなく、図４のケースＣでもある）、セット４（表２）は、図８のケースＤに対応することができる（例えば、Ｓｃｅｌｌ  ＤＬサブフレームは、Ｐｃｅｌｌ  ＤＬサブフレームの上位セットであり、Ｐｃｅｌｌ  ＨＡＲＱ  ＲＴＴは、１０ｍｓではなく、図４のケースＢのいくつかのブロックを含むことができる）。表２において、セット１＋セット４は、Ｓｃｅｌｌ  ＤＬサブフレームのフルセットに等しいことができ、Ｐｃｅｌｌ  ＤＬサブフレームの上位セットである。
【００９４】
【表２】
2017509216.tif 000004
【００９５】
表２は（他のサービングセルＵＬ−ＤＬ構成、サービングセルＵＬ−ＤＬ構成）によって形成されたペア／組み合わせに基づいたセービングセルに対するＵＬ基準ＵＬ−ＤＬ構成である。
【００９６】
（以下の）表３は、サービングセルによって用いられるＵＬ−ＤＬ構成に基づいたサービングセルに対するいくつかのＤＬ基準ＵＬ−ＤＬ構成例を示す。実施例による表３（ＤＬ基準構成）に関して、ＴＤＤに対して、ＭＳ（またはＵＥ）が１つ以上のサービングセル（例えばキャリア・アグリゲーション）とともに構成される場合、かつ少なくとも２つのサービングセルが個別のＵＬ−ＤＬ構成を有する場合、かつサービングセルがプライマリ・セルである場合、プライマリ・セルＵＬ−ＤＬ構成は、サービングセルに対するＤＬ基準ＵＬ−ＤＬ構成である。
【００９７】
ＴＤＤに対して、ＵＥが１つ以上のサービングセルとともに構成される場合、かつ少なくとも２つのサービングセルが個別のＵＬ−ＤＬ構成を有する場合、かつサービングセルがセカンダリ・セルである場合、
【００９８】
・（プライマリ・セルＵＬ−ＤＬ構成、サービングセルＵＬ−ＤＬ構成）によって形成されるペアが、表３内のセット１に属する場合、または
【００９９】
・ＭＳ（またはＵＥ）がサービングセルをスケジューリングするために別のサービングセル内のＰＤＣＣＨをモニタするように構成されない場合、かつ（プライマリ・セルＵＬ−ＤＬ構成、サービングセルＵＬ−ＤＬ構成）によって形成されるペアが、表３内のセット２もしくはセット３に属する場合、または
【０１００】
・ＭＳ（またはＵＥ）がサービングセルをスケジューリングするために別のサービングセル内のＰＤＣＣＨをモニタするように構成さる場合、かつ・（プライマリ・セルＵＬ−ＤＬ構成、サービングセルＵＬ−ＤＬ構成）によって形成されるペアが、表３内のセット４に属する場合、
【０１０１】
・１つの実施例によれば、サービングセルに対するＤＬ基準ＵＬ−ＤＬ構成は、表３内の対応するセットにおいて定義される。
【０１０２】
ＴＤＤに対して、ＭＳが１つ以上のサービングセルとともに構成される場合、かつ少なくとも２つのサービングセルが個別のＵＬ−ＤＬ構成を有する場合、かつ少なくとも１つのサービングセルに対するＤＬ基準ＵＬ−ＤＬ構成が、ＴＤＤ  ＵＬ−ＤＬ構成５（表１）である場合、ＭＳは、２つ以上のサービングセルとともに構成されるとは期待されない。
【０１０３】
表３に記載のＤＬ基準構成に対して、セット１は、図５および図６のケースＡに対応することができ（例えば、Ｓｃｅｌｌ  ＤＬサブフレームは、クロス・キャリア・スケジューリングおよび同一のキャリア・スケジューリングの両方に対して、Ｐｃｅｌｌ  ＤＬサブフレームのサブセットである）、セット２（表３）は、図５のケースＢに対応することができ（例えば、Ｓｃｅｌｌ  ＤＬサブフレームは、同一のキャリア・スケジューリングを伴う、ＰＣｅｌｌ  ＤＬサブフレームの上位セットである（図４のケースＢ））、セット３（表３）は、図５のケースＣに対応することができ（例えば、Ｓｃｅｌｌ  ＤＬサブフレームは、同一のキャリア・スケジューリングを伴う、Ｐｃｅｌｌ  ＤＬサブフレームの上位セットでもサブセットでもない（図４のケースＣ））、セット４（表３）は、図６のケースＢに対応することができ（例えば、Ｓｃｅｌｌ  ＤＬサブフレームは、クロス・キャリア・スケジューリングを伴う、Ｐｃｅｌｌ  ＤＬサブフレームの上位セットである（図４のケースＢ））、セット５（表３）は、図６のケースＣに対応することができる（例えば、Ｓｃｅｌｌ  ＤＬサブフレームは、クロス・キャリア・スケジューリングを伴う、Ｐｃｅｌｌ  ＤＬサブフレームの上位セットでもサブセットでもない（図４のケースＣ））。
【０１０４】
【表３】
2017509216.tif 000005
【０１０５】
表３は、（プライマリ・セルＵＬ−ＤＬ構成、セカンダリ・セルＵＬ−ＤＬ構成）によって形成されたペア／組み合わせに基づいたサービングセルに対するＤＬ基準ＵＬ−ＤＬ構成である。
【０１０６】
表２および表３は、基準ＵＬ−ＤＬ構成のための単なる例示的な実施例であり、他のインプリメンテーションが用いられることができる。
【０１０７】
図９は、実施例による移動局の動作を示すフローチャートである。動作９１０は、プライマリ・セルおよびセカンダリ・セルが使用する時分割デュープレックス（ＴＤＤ）無線フレームの１つ以上のアップリンク・ダウンリンク（ＵＬ−ＤＬ）構成の組み合わせに対する相互運用性試験（ＩＯＴ）標示を含むメッセージを送信すること、または該メッセージを送信することを、キャリア・アグリゲーションを用いる移動局（ＭＳ）によって制御することを含み、アップリンク・ダウンリンク構成の組み合わせの１つ以上は、プライマリ・セルが使用する第１のアップリンク・ダウンリンク構成とセカンダリ・セルが使用する第２のアップリンク・ダウンリンク構成を各々含む。
【０１０８】
動作９２０において、メッセージは、ＭＳ用のプライマリ・セルおよびセカンダリ・セルが使用する第１のアップリンク・ダウンリンク構成の組み合わせがＩＯＴ試験されたか否かを示す第１のＩＯＴ標示を含む。
【０１０９】
図１０は、実施例による移動局の動作を示すフローチャートである。動作１０１０は、プライマリ・セルおよびセカンダリ・セルが使用する時分割デュープレックス（ＴＤＤ）無線フレームの複数のアップリンク・ダウンリンク（ＵＬ−ＤＬ）構成の組み合わせに対する１つ以上の相互運用性試験（ＩＯＴ）標示を含むメッセージを送信すること、または該メッセージを送信することを、キャリア・アグリゲーションを用いる移動局（ＭＳ）によって制御することを含み、アップリンク・ダウンリンク構成の組み合わせの１つ以上は、プライマリ・セルが使用する第１のアップリンク・ダウンリンク構成とセカンダリ・セルが使用する第２のアップリンク・ダウンリンク構成を含む。動作１０２０において、メッセージは、ＭＳ用のプライマリ・セルおよびセカンダリ・セルが使用するアップリンク・ダウンリンク構成の組み合わせの第１のセットがＩＯＴ試験されたか否かを示す第１のＩＯＴ標示を含む。
【０１１０】
図１１は、実施例による無線局（例えば、ＢＳまたはＭＳ）１１００のブロック図である。無線局１１００は、例えば、２つの無線周波数（ＲＦ）または無線の送受信機１１０２Ａ、１１０２Ｂを含むことができ、各無線送受信機は、信号を伝送する送信機と信号を受信する受信機とを含む。無線局は、また、命令またはソフトウェアを実行するとともに、信号の送信および受信を制御するプロセッサ１１０４と、データおよび／または命令を格納するメモリ１１０６とを含む。
【０１１１】
プロセッサ１１０４は、また、決定または判定を行い、伝送のためのフレーム、パケット、またはメッセージを生成し、さらなる処理のために受信されたフレームまたはメッセージを復号し、パケットまたはデータの送信および受信を制御し、本明細書に記載の他のタスクまたは機能を行うことができる。ベースバンドプロセッサであることができるプロセッサ１１０４は、例えば、無線送受信機１１０２を介して送信するためのメッセージ、パケット、もしくはフレーム、または他の信号を生成することができる。プロセッサ１１０４は、（例えば、無線送受信機１１０２によってダウンコンバートされた後）無線ネットワークを介して、無線ネットワーク上の信号またはメッセージの伝送を制御することができ、信号またはメッセージなどを受信することを制御することができる。このように、プロセッサ１１０４は、一例として、データまたは信号の送信を制御することができ、データまたは信号の受信を制御することができる。プロセッサ１１０４は、以上に記載された１つ以上のタスクまたは方法など、以上に記載された様々なタスクおよび機能を実行するために、メモリまたは他のコンピュータ媒体に格納されたソフトウェアまたは他の命令をプログラミング可能および実行可能であることができる。プロセッサ１１０４は、例えば、ハードウェア、プログラマブルロジック、ソフトウェアまたはファームウェアを実行するプログラマブルプロセッサ、および／または、これらの任意の組み合わせであることができる（または含むことができる）。他の用語を用いると、例えば、プロセッサ１１０４および送受信機１１０２は、ともに、無線送受信機システムと見なすることができる。
【０１１２】
さらに、図１１を参照すると、コントローラ（またはプロセッサ）１１０８は、ソフトウェアおよび命令を実行することができ、局１１００のための全体的な制御を提供することができ、入出力装置（例えば、ディスプレイ、キーパッド）を制御するなどの図１１に図示しない他のシステムのための制御を提供することができ、および／または、例えば、電子メールプログラム、オーディオ／ビデオアプリケーション、ワードプロセッサ、ボイスオーバＩＰアプリケーション、または他のアプリケーションもしくはソフトウェアなどの、無線局１１００上に提供することができる１つ以上のアプリケーションのためのソフトウェアを実行することができる。
【０１１３】
さらに、コントローラまたはプロセッサによって実行された場合に、プロセッサ１００４または他のコントローラもしくはプロセッサに、以上に記載された機能またはタスクの１つ以上を実行させることが結果としてできる、格納された命令を含む記憶媒体が備えることができる。
【０１１４】
本明細書に記載の様々な技術のインプリメンテーションは、デジタル電子回路内に、または、コンピュータハードウェア、ファームウェア、ソフトウェア、もしくはそれらの組み合わせ内に、実装することができる。インプリメンテーションは、例えば、プログラマブルプロセッサ、コンピュータ、マルチプルコンピュータなどのデータ処理装置によって実行する、もしくは該データ処理装置の動作を制御する、コンピュータプログラム製品、すなわち、例えば、機械読み取り可能なストレージ装置内もしくは伝播される信号内の情報キャリアで明確に具体化されたコンピュータプログラム、として実装することができる。以上に記載のコンピュータプログラム（複数可）などのコンピュータプログラムは、コンパイル型言語またはインタープリタ型言語を含むプログラミング言語の任意のフォームに記載されることができ、スタンドアロンプログラムなど、またはモジュール、コンポーネント、サブルーチン、もしくはコンピュータ環境での使用に適した他のユニットなどを含む任意のフォームで配備されることができる。コンピュータプログラムは、１つのサイトにおいて１つのコンピュータまたはマルチプルコンピュータ上で実行されるように、または複数のサイトにわたって分散されるように配備され、通信ネットワークによって相互に接続されることができる。
【０１１５】
方法ステップは、入力データ上で動作して出力を生成することによって機能を実行するコンピュータプログラムを実行する１つ以上のプログラマブルプロセッサによって実行することができる。方法ステップは、また、例えば、フィールドプログラマブルゲートアレイ（ＦＰＧＡ）、特定用途向け集積回路（ＡＳＩＣ）などの専用論理回路によって実行されることができ、装置は該専用論理回路として実装することができる。
【０１１６】
コンピュータプログラムの実行に適するプロセッサは、一例として、汎用マイクロプロセッサおよび専用マイクロプロセッサと、任意の種類のデジタルコンピュータの任意の１つ以上のプロセッサとの両方を含む。一般に、プロセッサは、読み取り専用メモリもしくはランダムアクセスメモリまたはその両方から、命令およびデータを受信することになる。コンピュータの構成要素は、命令を実行するための少なくとも１つのプロセッサと、命令およびデータを格納するための１つ以上のメモリ装置とを含むことができる。一般に、コンピュータも含むか、例えば、磁気、光磁気ディスク、もしくは光ディスクなどのデータを格納するための１つ以上の大容量記憶装置からデータを受信する、または該大容量記憶装置にデータを伝送する、もしくはその両方を含むことができるし、または、該大容量記憶装置からデータを受信する、または該大容量記憶装置にデータを伝送する、もしくはその両方のために動作可能に結合することができる。コンピュータプログラムの命令およびデータを包含するのに適する情報キャリアは、例えば、ＥＰＲＯＭ、ＥＥＰＲＯＭ、およびフラッシュメモリ装置などの半導体記憶装置、例えば、内部ハードディスク、リムーバブルディスクなどの磁気ディスク、光磁気ディスク、ならびにＣＤ−ＲＯＭディスクおよびＤＶＤ−ＲＯＭディスクを例として含む、すべての形式の不揮発性メモリを含む。プロセッサおよびメモリは、専用論理回路によって補完することができるし、または該専用論理回路に組み込むことができる。
【０１１７】
ユーザとの対話を提供するために、インプリメンテーションは、ユーザに対して情報を表示するための、例えば、ブラウン管（ＣＲＴ）または液晶ディスプレイ（ＬＣＤ）モニタなどのディスプレイ装置と、ユーザによるコンピュータへの入力を提供することができる、キーボードならびに、マウス、トラックボールなどのポインティングデバイスとを有するコンピュータ上に実装することができる。他の種類の装置も、同様に、ユーザとの対話を提供するために用いることができる。例えば、ユーザに提供されるフィードバックは、例えば、視覚フィードバック、聴覚フィードバック、触覚フィードバックなどの任意の形式の感覚フィードバックになり得る。また、ユーザからの入力は、音響入力、音声入力、または触覚入力を含む任意の形式で受信することができる。
【０１１８】
インプリメンテーションは、例えばデータサーバとして、バックエンドコンポーネントを含む、または、例えばアプリケーションサーバなどのミドルウェアコンポーネントを含む、または、例えばユーザがインプリメンテーションと対話することができるグラフィカルユーザインタフェースまたはウェブブラウザを有するクライアントコンピュータなどのフロントエンドコンポーネント、またはこのようなバックエンド、ミドルウェア、もしくはフロントエンドコンポーネントの任意の組み合わせも含む、コンピューティングシステム内に実装することができる。コンポーネントは、例えば通信ネットワークなどのデジタルデータ通信の任意の形式または媒体によって相互に接続することができる。通信ネットワークの例は、ローカル・エリア・ネットワーク（ＬＡＮ）、および例えばインターネットなどのワイド・エリア・ネットワーク（ＷＡＮ）を含む。
【０１１９】
記載されたインプリメンテーションの一部の機能が本明細書に記載のように例示されているが、当業者は、多くの改良、代替、変更、および等価物を思い浮かべることになる。したがって、添付の請求項は、このような改良および変更のすべてが、様々な実施形態の要旨の範囲内にはいるように、カバーするように意図されていることを理解するべきである。
【図１】
2017509216.tif 000006
【図２】
2017509216.tif 000007
【図３】
2017509216.tif 000008
【図４】
2017509216.tif 000009
【図５】
2017509216.tif 000010
【図６】
2017509216.tif 000011
【図７】
2017509216.tif 000012
【図８】
2017509216.tif 000013
【図９】
2017509216.tif 000014
【図１０】
2017509216.tif 000015
【図１１】
2017509216.tif 000016
【手続補正書】
【提出日】平成28年9月23日(2016.9.23)
【手続補正１】
【補正対象書類名】特許請求の範囲
【補正対象項目名】全文
【補正方法】変更
【補正の内容】
【特許請求の範囲】
【請求項１】
キャリア・アグリゲーションを用いる移動局（ＭＳ）によって、プライマリ・セルおよびセカンダリ・セルによる使用のための時分割デュープレックス（ＴＤＤ）無線フレームの複数のアップリンク・ダウンリンク（ＵＬ−ＤＬ）構成の組み合わせに対する１つ以上の相互運用性試験（ＩＯＴ）標示を含むメッセージを送信することを制御することを含む方法であって、
前記アップリンク・ダウンリンク構成の組み合わせの１つ以上は、前記プライマリ・セルが使用するための第１のアップリンク・ダウンリンク構成、および、前記セカンダリ・セルが使用するための第２のアップリンク・ダウンリンク構成を含み、
前記メッセージは、前記ＭＳ用の前記プライマリ・セルおよび前記セカンダリ・セルによる使用のためのアップリンク・ダウンリンク構成の組み合わせの第１のセットが、ＩＯＴ試験されたか否かを示す第１のＩＯＴ標示を備える、方法。
【請求項２】
アップリンク・ダウンリンク構成の組み合わせの前記第１のセットは、可能なすべてのアップリンク・ダウンリンク構成の組み合わせを含む、請求項１に記載の方法。
【請求項３】
アップリンク・ダウンリンク構成の組み合わせの前記第１のセットは、可能なすべてのアップリンク・ダウンリンク構成の組み合わせのサブセットを含む、請求項１に記載の方法。
【請求項４】
前記メッセージは、前記ＭＳ用の前記プライマリ・セルおよび前記セカンダリ・セルによる使用のためのアップリンク・ダウンリンク構成の組み合わせの第２のセットが、ＩＯＴ試験されたか否かを示す第２のＩＯＴ標示をさらに含む、請求項１に記載の方法。
【請求項５】
前記メッセージは、前記第１のＩＯＴ標示を提供する第１のビットと、前記第２のＩＯＴ標示を提供する第２のビットと、を含む複数のビットを含むＩＯＴフィールドを含む、請求項４に記載の方法。
【請求項６】
前記アップリンク・ダウンリンク構成の各々は、
ダウンリンク・サブフレームとして前記無線フレームの１つ以上のサブフレームを特定し、
アップリンク・サブフレームとして前記無線フレームの１つ以上のサブフレームとを特定する、請求項１に記載の方法。
【請求項７】
前記アップリンク・ダウンリンク構成の各々は、ＴＤＤ無線フレームの構成を特定し、
前記アップリンク・ダウンリンク構成の各々は、ＴＤＤ無線フレーム内の各サブフレームが、アップリンク・サブフレーム、ダウンリンク・サブフレーム、または、スペシャル・サブフレームのうちのいずれであるのかを特定する、請求項１に記載の方法。
【請求項８】
アップリンク・ダウンリンク構成の組み合わせの前記第１のセットは、アップリンク・ダウンリンク構成の組み合わせを含み、
前記組み合わせのうちの、前記セカンダリ・セルに対する前記アップリンク・ダウンリンク構成のダウンリンク・サブフレームは、前記組み合わせのうちの、前記プライマリ・セルに対する前記アップリンク・ダウンリンク構成のダウンリンク・サブフレームのサブセットである、請求項１に記載の方法。
【請求項９】
アップリンク・ダウンリンク構成の組み合わせの前記第２のセットは、
前記組み合わせのうちの、前記セカンダリ・セルに対する前記アップリンク・ダウンリンク構成のダウンリンク・サブフレームが、前記組み合わせのうちの、前記プライマリ・セルに対する前記アップリンク・ダウンリンク構成のダウンリンク・サブフレームの上位セットであるような、
アップリンク・ダウンリンク構成の組み合わせを備える、請求項４に記載の方法。
【請求項１０】
前記メッセージは、
前記ＭＳ用の前記プライマリ・セルおよび前記セカンダリ・セルによる使用のためのアップリンク・ダウンリンク構成の組み合わせの第３のセットが、ＩＯＴ試験されたか否かを示す第３のＩＯＴ標示
をさらに含み、
アップリンク・ダウンリンク構成の組み合わせの前記第３のセットは、
前記組み合わせのうちの、前記セカンダリ・セルに対する前記アップリンク・ダウンリンク構成のダウンリンク・サブフレームが、前記組み合わせのうちの、前記プライマリ・セルに対する前記アップリンク・ダウンリンク構成のダウンリンク・サブフレームのサブセットでも上位セットでもない、
アップリンク・ダウンリンク構成の組み合わせを備える、
請求項４に記載の方法。
【請求項１１】
前記メッセージは、
前記ＭＳ用の前記プライマリ・セルおよび前記セカンダリ・セルによる使用のためのアップリンク・ダウンリンク構成の組み合わせの第１のセットが、ＩＯＴ試験されたか否かを示す第１のＩＯＴ標示であって、
アップリンク・ダウンリンク構成の組み合わせの前記第１のセットが、前記組み合わせのうちの、前記セカンダリ・セルに対する前記アップリンク・ダウンリンク構成のダウンリンク・サブフレームが、前記組み合わせのうちの、前記プライマリ・セルに対する前記アップリンク・ダウンリンク構成のダウンリンク・サブフレームのサブセットである、アップリンク・ダウンリンク構成の組み合わせを含む前記第１のＩＯＴ標示と、
前記ＭＳ用の前記プライマリ・セルおよび前記セカンダリ・セルによる使用のためのアップリンク・ダウンリンク構成の組み合わせの第２のセットが、ＩＯＴ試験されたか否かを示す第２のＩＯＴ標示であって、
アップリンク・ダウンリンク構成の組み合わせの前記第２のセットが、前記組み合わせのうちの、前記セカンダリ・セルに対する前記アップリンク・ダウンリンク構成のダウンリンク・サブフレームが、前記組み合わせのうちの、前記プライマリ・セルに対する前記アップリンク・ダウンリンク構成のダウンリンク・サブフレームの上位セットである、アップリンク・ダウンリンク構成の組み合わせを含む第２のＩＯＴ標示と、
前記ＭＳ用の前記プライマリ・セルおよび前記セカンダリ・セルによる使用のためのアップリンク・ダウンリンク構成の組み合わせの第３のセットが、ＩＯＴ試験されたか否かを示す第３のＩＯＴ標示であって、
アップリンク・ダウンリンク構成の組み合わせの前記第３のセットが、前記組み合わせのうちの、前記セカンダリ・セルに対する前記アップリンク・ダウンリンク構成のダウンリンク・サブフレームが、前記組み合わせのうちの、前記プライマリ・セルに対する前記アップリンク・ダウンリンク構成のダウンリンク・サブフレームのサブセットまたは上位セットのいずれでもない、アップリンク・ダウンリンク構成の組み合わせを含む第３のＩＯＴ標示と、
を含む、請求項１に記載の方法。
【請求項１２】
前記メッセージは、
キャリア・アグリゲーション帯域の組み合わせ毎に、前記ＭＳ用の前記プライマリ・セルおよび前記セカンダリ・セルによる使用のためのアップリンク・ダウンリンク構成の組み合わせが、キャリア・アグリゲーション帯域の組み合わせに対してＩＯＴ試験されたか否かを示す
ＩＯＴフィールドを含む、請求項１に記載の方法。
【請求項１３】
前記メッセージは、
前記ＭＳ用の前記プライマリ・セルおよび前記セカンダリ・セルによる使用のためのアップリンク・ダウンリンク構成の組み合わせの第１のセットが、ＩＯＴ試験されたか否かを示す第１のＩＯＴ標示であって、
アップリンク・ダウンリンク構成の組み合わせの前記第１のセットが、前記組み合わせのうちの、前記セカンダリ・セルに対する前記アップリンク・ダウンリンク構成のダウンリンク・サブフレームが、前記組み合わせのうちの、前記プライマリ・セルに対する前記アップリンク・ダウンリンク構成のダウンリンク・サブフレームのサブセットである、アップリンク・ダウンリンク構成の組み合わせを含む、第１のＩＯＴ標示と、
ＭＳ用のプライマリ・セルおよびセカンダリ・セルによる使用のためのアップリンク・ダウンリンク構成の組み合わせの第２のセットが、ＩＯＴ試験されたか否かを示す第２のＩＯＴ標示であって、
アップリンク・ダウンリンク構成の組み合わせの前記第２のセットが、前記組み合わせのうちの、前記セカンダリ・セルに対する前記アップリンク・ダウンリンク構成のダウンリンク・サブフレームが、前記組み合わせのうちの、前記プライマリ・セルに対する前記アップリンク・ダウンリンク構成のダウンリンク・サブフレームの上位セットである、アップリンク・ダウンリンク構成の組み合わせを含み、前記プライマリ・セルのＵＬＨＡＲＱタイミングは、１０ｍｓである、第２のＩＯＴ標示と、
前記ＭＳ用の前記プライマリ・セルおよび前記セカンダリ・セルによる使用のためのアップリンク・ダウンリンク構成の組み合わせの第３のセットが、ＩＯＴ試験されたか否かを示す第３のＩＯＴ標示であって、
アップリンク・ダウンリンク構成の組み合わせの前記第３のセットが、前記組み合わせのうちの、前記セカンダリ・セルに対する前記アップリンク・ダウンリンク構成のダウンリンク・サブフレームが、前記組み合わせのうちの、前記プライマリ・セルに対する前記アップリンク・ダウンリンク構成のダウンリンク・サブフレームのサブセットまたは上位セットのいずれでもない、アップリンク・ダウンリンク構成の組み合わせを含む第３のＩＯＴ標示と、
前記ＭＳ用の前記プライマリ・セルおよび前記セカンダリ・セルによる使用のためのアップリンク・ダウンリンク構成の組み合わせの第２のセットが、ＩＯＴ試験されたか否かを示す第４のＩＯＴ標示であって、
アップリンク・ダウンリンク構成の組み合わせの前記第２のセットが、前記組み合わせのうちの、前記セカンダリ・セルに対する前記アップリンク・ダウンリンク構成のダウンリンク・サブフレームが、前記組み合わせのうちの、前記プライマリ・セルに対する前記アップリンク・ダウンリンク構成のダウンリンク・サブフレームの上位セットである、アップリンク・ダウンリンク構成の組み合わせを含み、前記プライマリ・セルのＵＬＨＡＲＱタイミングは、１０ｍｓではない、第４のＩＯＴ標示と、
を含む、請求項１に記載の方法。
【請求項１４】
前記メッセージは、
前記第１のＩＯＴ標示を提供する第１のビットと、前記第２のＩＯＴ標示を提供する第２のビットと、前記第３のＩＯＴ標示を提供する第３のビットと、
を含む複数のビットを含むＩＯＴフィールド
を含む、請求項１１に記載の方法。
【請求項１５】
少なくとも１つのプロセッサと、コンピュータ命令を含む少なくとも１つのメモリとを備える装置であって、少なくとも１つのプロセッサによって実行された場合に、前記装置に、
キャリア・アグリゲーションを用いる移動局（ＭＳ）によって、
プライマリ・セルおよびセカンダリ・セルによる使用のための時分割デュープレックス（ＴＤＤ）無線フレームの複数のアップリンク・ダウンリンク（ＵＬ−ＤＬ）構成組み合わせに対する１つ以上の相互運用性試験（ＩＯＴ）標示を含むメッセージを送信することを制御することを実行させる装置であり、
前記アップリンク・ダウンリンク構成の組み合わせの１つ以上は、前記プライマリ・セルが使用するための第１のアップリンク・ダウンリンク構成、および、前記セカンダリ・セルが使用するための第２のアップリンク・ダウンリンク構成を含み、
前記メッセージは、前記ＭＳ用の前記プライマリ・セルおよび前記セカンダリ・セルによる使用のためのアップリンク・ダウンリンク構成の組み合わせの第１のセットが、ＩＯＴ試験されたか否かを示す第１のＩＯＴ標示を備える、装置。
【請求項１６】
前記メッセージは、前記ＭＳ用の前記プライマリ・セルおよび前記セカンダリ・セルによる使用のためのアップリンク・ダウンリンク構成の組み合わせの第２のセットが、ＩＯＴ試験されたか否かを示す第２のＩＯＴ標示をさらに備える、請求項１５に記載の装置。
【請求項１７】
前記メッセージは、
前記第１のＩＯＴ標示を提供するための第１のビットと、
前記第２のＩＯＴ標示を提供するための第２のビットと、
を含む複数のビットを含むＩＯＴフィールドを含む、請求項１６に記載の装置。
【請求項１８】
前記アップリンク・ダウンリンク構成の各々は、前記無線フレームの１つ以上のサブフレームを、ダウンリンク・サブフレームとして、および、前記無線フレームの１つ以上のサブフレームを、アップリンク・サブフレームとして特定する請求項１５に記載の装置。
【請求項１９】
前記アップリンク・ダウンリンク構成の各々は、ＴＤＤ無線フレームの構成を特定し、
前記アップリンク・ダウンリンク構成の各々は、ＴＤＤ無線フレーム内の各サブフレームが、アップリンク・サブフレーム、ダウンリンク・サブフレーム、または、スペシャル・サブフレームのうちのいずれであることを特定する、
請求項１５に記載の装置。
【請求項２０】
アップリンク・ダウンリンク構成の組み合わせの前記第１のセットは、前記組み合わせのうちの、前記セカンダリ・セルに対する前記アップリンク・ダウンリンク構成のダウンリンク・サブフレームが、前記組み合わせのうちの、前記プライマリ・セルに対する前記アップリンク・ダウンリンク構成のダウンリンク・サブフレームのサブセットである、アップリンク・ダウンリンク構成の組み合わせを備える、請求項１５に記載の装置。
【請求項２１】
アップリンク・ダウンリンク構成の組み合わせの前記第２のセットは、前記組み合わせのうちの、前記セカンダリ・セルに対する前記アップリンク・ダウンリンク構成のダウンリンク・サブフレームが、前記組み合わせのうちの、前記プライマリ・セルに対する前記アップリンク・ダウンリンク構成のダウンリンク・サブフレームの上位セットである、アップリンク・ダウンリンク構成の組み合わせを備える、請求項１６に記載の装置。
【請求項２２】
前記メッセージは、前記ＭＳ用の前記プライマリ・セルおよび前記セカンダリ・セルによる使用のためのアップリンク・ダウンリンク構成の組み合わせの第３のセットが、ＩＯＴ試験されたか否かを示す第３のＩＯＴ標示をさらに含み、
アップリンク・ダウンリンク構成の組み合わせの前記第３のセットが、前記組み合わせのうちの、前記セカンダリ・セルに対する前記アップリンク・ダウンリンク構成のダウンリンク・サブフレームが、前記組み合わせのうちの、前記プライマリ・セルに対する前記アップリンク・ダウンリンク構成のダウンリンク・サブフレームのサブセットまたは上位セットのいずれでもない、アップリンク・ダウンリンク構成の組み合わせを備える、請求項１６に記載の装置。
【請求項２３】
少なくとも１つのデータ処理装置によって実行されたとき、
該少なくとも１つのデータ処理装置に、キャリア・アグリゲーションを用いる移動局（ＭＳ）によって、
プライマリ・セルおよびセカンダリ・セルによる使用のための時分割デュープレックス（ＴＤＤ）無線フレームの複数のアップリンク・ダウンリンク（ＵＬ−ＤＬ）構成設暖み合わせに対する相互運用性試験（ＩＯＴ）標示を含むメッセージを送信することを制御することを含む方法を実行させるように構成される実行可能コードを備えるコンピュータ・プログラムであって、
前記アップリンク・ダウンリンク構成の組み合わせの１つ以上は、
前記プライマリ・セルが使用するための第１のアップリンク・ダウンリンク構成と
前記セカンダリ・セルが使用するための第２のアップリンク・ダウンリンク構成と、を含み、
前記メッセージは、前記ＭＳ用の前記プライマリ・セルおよび前記セカンダリ・セルによる使用のためのアップリンク・ダウンリンク構成の組み合わせの第１のセットが、ＩＯＴ試験されたか否かを示す第１のＩＯＴ標示を含む、コンピュータ・プログラム。
【請求項２４】
キャリア・アグリゲーションを用いる移動局（ＭＳ）から、プライマリ・セルおよびセカンダリ・セルによる使用のための時分割デュープレックス（ＴＤＤ）無線フレームの１つ以上のアップリンク・ダウンリンク（ＵＬ−ＤＬ）構成の組み合わせに対する相互運用性試験（ＩＯＴ）標示を含むメッセージを受信することを、基地局によって、制御することを含む方法であって、
前記アップリンク・ダウンリンク構成の組み合わせの１つ以上は、前記プライマリ・セルが使用するための第１のアップリンク・ダウンリンク構成および前記セカンダリ・セルが使用するための第２のアップリンク・ダウンリンク構成を含み、
前記メッセージは、前記ＭＳ用の前記プライマリ・セルおよび前記セカンダリ・セルによる使用のためのアップリンク・ダウンリンク構成の組み合わせの第１のセットが、ＩＯＴ試験されたか否かを示す第１のＩＯＴ標示を備える、
方法。
【請求項２５】
少なくとも１つのプロセッサと、コンピュータ命令を含む少なくとも１つのメモリとを備える装置であって、
少なくとも１つのプロセッサによって実行された場合に、
前記装置に、
キャリア・アグリゲーションを用いる移動局（ＭＳ）から、基地局によって、プライマリ・セルおよびセカンダリ・セルによる使用のための時分割デュープレックス（ＴＤＤ）無線フレームの複数のアップリンク・ダウンリンク（ＵＬ−ＤＬ）構成の組み合わせに対する１つ以上の相互運用性試験（ＩＯＴ）標示を含むメッセージを受信することを制御することを実行させ、
前記アップリンク・ダウンリンク構成の組み合わせの１つ以上は、前記プライマリ・セルが使用するための第１のアップリンク・ダウンリンク構成および前記セカンダリ・セルが使用するための第２のアップリンク・ダウンリンク構成を含み、
前記メッセージは、前記ＭＳ用の前記プライマリ・セルおよび前記セカンダリ・セルによる使用のためのアップリンク・ダウンリンク構成の組み合わせの第１のセットが、ＩＯＴ試験されたか否かを示す第１のＩＯＴ標示を備える、
装置。
【請求項２６】
少なくとも１つのデータ処理装置によって実行されたとき、該少なくとも１つのデータ処理装置に、キャリア・アグリゲーションを用いる移動局（ＭＳ）から、プライマリ・セルおよびセカンダリ・セルによる使用のための時分割デュープレックス（ＴＤＤ）無線フレームの複数のアップリンク・ダウンリンク（ＵＬ−ＤＬ）構成の組み合わせに対する相互運用性試験（ＩＯＴ）標示を含むメッセージを受信することを、基地局によって、制御することを含む方法を実行させるように構成される実行可能コードを備えるコンピュータ・プログラムであって、
前記アップリンク・ダウンリンク構成の組み合わせの１つ以上は、前記プライマリ・セルが使用するための第１のアップリンク・ダウンリンク構成および前記セカンダリ・セルが使用するための第２のアップリンク・ダウンリンク構成を含み、
前記メッセージは、前記ＭＳ用の前記プライマリ・セルおよび前記セカンダリ・セルによるが使用のためのアップリンク・ダウンリンク構成の組み合わせの第１のセットが、ＩＯＴ試験されたか否かを示す第１のＩＯＴ標示を含む、
コンピュータ・プログラム。
【国際調査報告】
2017509216.tif 000017
2017509216.tif 000018